(57)【要約】  履物用品は、アッパーと、アッパーに取り付けられたミッドソールと、アウトソールとを含んでなる。ミッドソールは、フットベッドとフットベッドの反対側の当該ミッドソールに配置された底面とを含んでなる。アウトソールは、接地面と、接地面の反対側の当該アウトソールに配置された内面と、接地面から延びて当該アウトソールを囲む壁とを含んでなる。履物用品は、それぞれが粒子状物質を収容し、アウトソールの長手方向軸に対して実質的に垂直に延びる厚さを有する少なくとも２つのケーシングをさらに含む。少なくとも２つのケーシングは、底面と内面との間で、アウトソールの壁によって境界が定まったキャビティ内に受容されて層状構成に形成されている。
2018528033.tif 000002
【特許請求の範囲】
【請求項１】
アッパーと、
前記アッパーに取り付けられたミッドソールであって、フットベッドと前記フットベッドの反対側の当該ミッドソールに配置された底面とを含むミッドソールと、
アウトソールであって、接地面と、前記接地面の反対側の当該アウトソールに配置された内面と、前記接地面から延びて当該アウトソールを囲む壁と、を含むアウトソールと、
それぞれが粒子状物質を収容し、前記アウトソールの長手方向軸に対して実質的に垂直に延びる厚さを有する少なくとも２つのケーシングであって、前記底面と前記内面との間で、前記アウトソールの壁によって境界が定まったキャビティ内に受容されて層状構成に形成された少なくとも２つのケーシングと、
を含むことを特徴とする履物用品。
【請求項２】
前記少なくとも２つのケーシングが略同じ量の前記粒子状物質を含むことを特徴とする請求項１に記載の履物用品。
【請求項３】
前記少なくとも２つのケーシングが異なる量の前記粒子状物質を含むことを特徴とする請求項１に記載の履物用品。
【請求項４】
少なくとも１つの前記ケーシングの複数の壁が共に固定され、多数の粒子状物質をそれぞれ収容する少なくとも２つのセグメントを画定していることを特徴とする請求項１〜３のいずれか一項に記載の履物用品。
【請求項５】
前記少なくとも２つのセグメントが略同じ量の前記粒子状物質を含むことを特徴とする請求項４に記載の履物用品。
【請求項６】
前記少なくとも２つのセグメントが異なる量の前記粒子状物質を含むことを特徴とする請求項４に記載の履物用品。
【請求項７】
前記少なくとも２つのケーシングの厚さが異なることを特徴とする請求項１に記載の履物用品。
【請求項８】
前記少なくとも２つのケーシングの厚さが略同じであることを特徴とする請求項１に記載の履物用品。
【請求項９】
前記少なくとも２つのケーシングのうちの少なくとも１つが可撓性材料から形成されていることを特徴とする請求項１〜８のいずれか一項に記載の履物用品。
【請求項１０】
前記少なくとも２つのケーシングのうちの少なくとも１つがメッシュ材料から形成されていることを特徴とする請求項１〜９のいずれか一項に記載の履物用品。
【請求項１１】
前記少なくとも２つのケーシングのうちの少なくとも１つがナイロン材料で形成されていることを特徴とする請求項１〜１０のいずれか一項に記載の履物用品。
【請求項１２】
前記粒子状物質が発泡体ビーズを含むことを特徴とする請求項１〜１１のいずれか一項に記載の履物用品。
【請求項１３】
前記発泡体ビーズが実質的に球形の形状を含むことを特徴とする請求項１２に記載の履物用品。
【請求項１４】
前記発泡体ビーズが実質的に多角形の形状を含むことを特徴とする請求項１２に記載の履物用品。
【請求項１５】
前記発泡体ビーズが略同じ大きさ及び形状を含むことを特徴とする請求項１２に記載の履物用品。
【請求項１６】
前記発泡体ビーズが異なる大きさ及び形状の少なくとも１つを含むことを特徴とする請求項１２に記載の履物用品。
【請求項１７】
前記少なくとも２つのケーシングのそれぞれにおいて、前記発泡体ビーズの大きさ及び形状が略同じであることを特徴とする請求項１２に記載の履物用品。
【請求項１８】
前記少なくとも２つのケーシングの少なくとも１つにおいて、前記発泡体ビーズの大きさ及び形状の少なくとも１つが異なることを特徴とする請求項１２に記載の履物用品。
【請求項１９】
前記アウトソールの前記内面と前記少なくとも２つのケーシングとの間に前記キャビティ内に設けられた底クッション部材をさらに含むことを特徴とする請求項１〜１８のいずれか一項に記載の履物用品。
【請求項２０】
前記底クッション部材がポリマー発泡体を含むことを特徴とする請求項１９に記載の履物用品。
【請求項２１】
前記底クッション部材が流体充填チャンバを含むことを特徴とする請求項１９に記載の履物用品。
【請求項２２】
前記底クッション部材が、前記アウトソールの前記内面から前記ミッドソールの前記底面に向かう方向に延びる一連の突出部であって、当該一連の突出部が前記底面から離間していることを特徴とする請求項１９に記載の履物用品。
【請求項２３】
前記少なくとも２つのケーシングの間に配置された中間クッション部材をさらに含むことを特徴とする請求項１〜２２のいずれか一項に記載の履物用品。
【請求項２４】
前記少なくとも２つのケーシングが、前記アウトソールの長さに実質的に等しい長さを有することを特徴とする請求項１〜２３のいずれか一項に記載の履物用品。
【請求項２５】
前記少なくとも２つのケーシングが、前記アウトソールの長さよりも短い長さを有することを特徴とする請求項１に記載の履物用品。
【請求項２６】
前記少なくとも２つのケーシングは、第１のケーシング、第２のケーシング、第３のケーシング、及び第４のケーシングを含み、前記第１のケーシング及び前記第２のケーシングは、前記アウトソールの踵部に近接して配置され、前記第３のケーシング及び前記第４のケーシングは、前記アウトソールの前足部及び中足部の少なくとも１つに近接して配置されていることを特徴とする請求項２５に記載の履物用品。
【請求項２７】
アッパーと、
前記アッパーに取り付けられたアウトソールであって、接地面と、前記接地面の反対側の当該アウトソールに配置された内面と、前記接地面から延びて当該アウトソールを囲む壁と、を含むアウトソールと、
フットベッドと前記フットベッドの反対側に配置された底面とを含むミッドソールであって、前記アウトソールの壁によってその中に境界が定まったキャビティを画定するように前記アウトソールの前記内面と対向するミッドソールと、
粒子状物質を収容する第１のケーシングであって、前記アウトソールの前記内面に対向し、前記キャビティ内に受容された第１のケーシングと、
粒子状物質を収容する第２のケーシングであって、前記第１のケーシングと前記ミッドソールとの間に配置され、前記キャビティ内に受容された第２のケーシングと、
を含むことを特徴とする履物用品。
【請求項２８】
前記第１のケーシングと前記第２のケーシングとの少なくとも１つの複数の壁が共に固定され、略同じ量の前記粒子状物質をそれぞれ含む少なくとも２つのセグメントを画定していることを特徴とする請求項２７に記載の履物用品。
【請求項２９】
前記第１のケーシングと前記第２のケーシングとの少なくとも１つの複数の壁が共に固定され、異なる量の前記粒子状物質をそれぞれ含む少なくとも２つのセグメントを画定していることを特徴とする請求項２７に記載の履物用品。
【請求項３０】
前記第１のケーシングと前記第２のケーシングとが可撓性材料で形成されていることを特徴とする請求項２７〜２９のいずれか一項に記載の履物用品。
【請求項３１】
前記第１のケーシングと前記第２のケーシングとがメッシュ材料で形成されていることを特徴とする請求項２７〜３０のいずれか一項に記載の履物用品。
【請求項３２】
前記第１のケーシングと前記第２のケーシングとがナイロン材料から形成されていることを特徴とする請求項２７〜３１のいずれか一項に記載の履物用品。
【請求項３３】
前記粒子状物質が発泡体ビーズを含むことを特徴とする請求項２７〜３２のいずれか一項に記載の履物用品。
【請求項３４】
前記発泡体ビーズが実質的に球形及び実質的に多角形のうちの少なくとも１つを含むことを特徴とする請求項２７〜３３のいずれか一項に記載の履物用品。
【請求項３５】
前記発泡体ビーズが略同じ大きさ及び形状を含むことを特徴とする請求項３３に記載の履物用品。
【請求項３６】
前記発泡体ビーズが異なる大きさ及び形状の少なくとも１つを含むことを特徴とする請求項３３に記載の履物用品。
【請求項３７】
前記発泡体ビーズの大きさ及び形状が、前記第１のケーシング及び前記第２のケーシングにおいて略同じであることを特徴とする請求項３３に記載の履物用品。
【請求項３８】
前記発泡体ビーズの大きさ及び形状の少なくとも１つが、前記第１のケーシング及び前記第２のケーシングにおいて異なることを特徴とする請求項３３に記載の履物用品。
【請求項３９】
前記第１のケーシングと前記アウトソールの前記内面との間の前記キャビティ内に設けられた底クッション部材をさらに含むことを特徴とする請求項２７〜３８のいずれか一項に記載の履物用品。
【請求項４０】
前記底クッション部材が、ポリマー発泡体と、流体充填袋と、前記アウトソールの前記内面から前記ミッドソールの前記底面に向かう方向に延びて前記底面から離間している一連の突出部と、のうちの少なくとも１つを含むことを特徴とする請求項３９に記載の履物用品。
【請求項４１】
前記第１のケーシングと前記第２のケーシングとの間に配置された中間クッション部材をさらに含むことを特徴とする請求項２７〜４０のいずれか一項に記載の履物用品。
【請求項４２】
前記第１のケーシング及び前記第２のケーシングは、前記アウトソールの長さに実質的に等しい長さを有することを特徴とする請求項２７〜４１のいずれか一項に記載の履物用品。
【請求項４３】
前記アウトソールの前記内面に対向し、前記ケーシング内に受容される第３のケーシングと、
前記第３ケーシングと前記ミッドソールとの間に配置されて前記ケーシング内に受容される第４のケーシングと、をさらに含み、
前記第３のケーシングと前記第４のケーシングとは、前記アウトソールの前足部及び中足部の少なくとも１つに近接して配置され、前記第１のケーシングと前記第２のケーシングとは、前記アウトソールの踵部に近接して配置されていることを特徴とする請求項２６に記載の履物用品。
【請求項４４】
前記第２のケーシングは、前記アウトソールの長手方向軸に実質的に垂直な方向に延びる、前記第１のケーシングとは異なる厚さを有することを特徴とする請求項２６に記載の履物用品。
【請求項４５】
前記第１のケーシング及び前記第２のケーシングは、異なる量の前記粒子状物質を含むことを特徴とする請求項２７〜４４のいずれか一項に記載の履物用品。
【請求項４６】
アッパーと、
前記アッパーに取り付けられたアウトソールであって、接地面と、前記接地面の反対側の当該アウトソールに配置された内面と、前記接地面から延びて当該アウトソールを囲む壁と、を含むアウトソールと、
フットベッドと前記フットベッドの反対側に配置された底面とを含むミッドソールであって、前記アウトソールの壁によってその中に境界が定まったキャビティを画定するように前記アウトソールの前記内面と対向するミッドソールと、
前記キャビティ内に受容された第１の量の粒子状物質と、
前記第１の量の粒子状物質とは分離されて前記キャビティ内に受容された第２の量の粒子状物質であって、前記第１の量の粒子状物質と前記ミッドソールの前記底面との間に配置された第２の量の粒子状物質と、
を含むことを特徴とする履物用品。
【請求項４７】
前記第１の量の粒子状物質が第１のケーシング内に受容されることを特徴とする請求項４６に記載の履物用品。
【請求項４８】
前記第２の量の粒子状物質が第２のケーシング内に受容されることを特徴とする請求項４６又は請求項４７に記載の履物用品。
【請求項４９】
前記第１のケーシング及び前記第２のケーシングが、可撓性材料、メッシュ材料、及びナイロン材料のうちの少なくとも１つから形成されていることを特徴とする請求項４８に記載の履物用品。
【請求項５０】
前記粒子状物質が、実質的に球形及び実質的に多角形の形状のうちの少なくとも１つを有する発泡体ビーズを含むことを特徴とする請求項４６〜４９のいずれか一項に記載の履物用品。
【請求項５１】
発泡体ビーズが略同じ大きさ及び形状を含むことを特徴とする請求項５０に記載の履物用品。
【請求項５２】
前記発泡体ビーズが異なる大きさ及び形状の少なくとも１つを含むことを特徴とする請求項５０に記載の履物用品。
【請求項５３】
前記発泡体ビーズの大きさ及び形状が、前記第１のケーシング及び前記第２のケーシングにおいて略同じであることを特徴とする請求項５０に記載の履物用品。
【請求項５４】
前記発泡体ビーズの大きさ及び形状の少なくとも１つが、前記第１のケーシング及び前記第２のケーシングにおいて異なることを特徴とする請求項５０に記載の履物用品。
【請求項５５】
前記第１の量の粒子状物質と前記アウトソールの前記内面との間の前記キャビティ内に設けられた底クッション部材をさらに含むことを特徴とする請求項４６〜５４のいずれか一項に記載の履物用品。
【請求項５６】
前記底クッション部材が、ポリマー発泡体と、流体充填袋と、前記アウトソールの前記内面から前記ミッドソールの前記底面に向かう方向に延びて前記底面から離間している一連の突出部と、のうちの少なくとも１つを含むことを特徴とする請求項５５に記載の履物用品。
【請求項５７】
前記第１の量の粒子状物質及び前記第２の量の粒子状物質がそれぞれ可撓性ケーシング内に受容されていることを特徴とする請求項４６に記載の履物用品。
【請求項５８】
フットベッドとアウトソールとの間にキャビティを設けるステップと、
前記アウトソールに隣接し、前記キャビティ内に粒子状物質を収容する第１のケーシングを設けるステップと、
前記第１のケーシングと前記フットベッドとの間で、前記キャビティ内に粒子状物質を収容する第２のケーシングを設けるステップと、
を含んでなることを特徴とする履物用品を製造する方法。
【請求項５９】
前記第１のケーシング及び前記第２のケーシングを前記キャビティ内に設けるステップは、前記第１のケーシングに、前記アウトソールの長手方向軸に実質的に垂直に延びる方向における、前記第２のケーシングとは異なる厚さを与えることを含むことを特徴とする請求項５８に記載の方法。
【請求項６０】
前記第１のケーシング及び前記第２のケーシングを前記キャビティ内に設けるステップは、前記第１のケーシングに、前記アウトソールの長手方向軸に実質的に垂直に延びる方向における、前記第２のケーシングと実質的に同じ厚さを与えることを含むことを特徴とする請求項５８に記載の方法。
【請求項６１】
前記第１のケーシング及び前記２のケーシングを可撓性材料で形成するステップをさらに含むことを特徴とする請求項５８〜６０のいずれか一項に記載の方法。
【請求項６２】
前記第１のケーシング及び前記２のケーシングをメッシュ材料で形成するステップをさらに含むことを特徴とする請求項５８〜６１のいずれか一項に記載の方法。
【請求項６３】
前記第１のケーシング及び前記２のケーシングをナイロン材料で形成するステップをさらに含むことを特徴とする請求項５８〜６２のいずれか一項に記載の方法。
【請求項６４】
前記第１のケーシングの複数の壁を共に固定し、前記第２のケーシングの複数の壁を共に固定し、前記第１のケーシング及び前記第２のケーシングのそれぞれの内部に少なくとも２つのセグメントを画定するステップをさらに含むことを特徴とする請求項５８〜６３のいずれか一項に記載の方法。
【請求項６５】
前記少なくとも２つのセグメントに略同じ量の粒子状物質を設けるステップをさらに含むことを特徴とする請求項６４に記載の方法。
【請求項６６】
前記少なくとも２つのセグメントに異なる量の粒子状物質を設けるステップをさらに含むことを特徴とする請求項６４に記載の方法。
【請求項６７】
粒子状物質を収容する前記第１のケーシングを設けるステップと、粒子状物質を収容する前記第２のケーシングを設けるステップとが、実質的に球形及び実質的に多角形のうちの少なくとも１つを有する多数の発泡体ビーズを前記第１のケーシング及び前記第２のケーシングに提供するステップを含むことを特徴とする請求項５８〜６６のいずれか一項に記載の方法。
【請求項６８】
多数の前記発泡体ビーズを提供するステップが、略同じ大きさ及び形状を含む発泡体ビーズを提供するステップを含むことを特徴とする請求項６７に記載の方法。
【請求項６９】
多数の前記発泡体ビーズを提供するステップが、異なる大きさ及び形状の少なくとも１つを含む発泡体ビーズを提供するステップを含むことを特徴とする請求項６７に記載の方法。
【請求項７０】
前記第１のケーシングと前記アウトソールの前記内面との間の前記キャビティ内に底クッション部材を挿入するステップをさらに含むことを特徴とする請求項５８〜６９のいずれか一項に記載の方法。
【請求項７１】
前記底クッション部材を挿入するステップは、発泡体クッション部材及び流体充填クッション部材のうちの少なくとも１つを挿入するステップを含むことを特徴とする請求項５８に記載の方法。
【請求項７２】
前記第１のケーシングと前記第２のケーシングとの間に中間クッション部材を挿入するステップをさらに含むことを特徴とする請求項５８〜７１のいずれか一項に記載の方法。
【請求項７３】
前記中間クッション部材を前記第１のケーシングと前記第２のケーシングとの間に挿入するステップは、前記第１のケーシングと前記第２のケーシングとの間にポリマー発泡体及び流体充填袋の少なくとも１つを挿入するステップを含むことを特徴とする請求項７２に記載の方法。
【発明の詳細な説明】
【技術分野】
【０００１】
本出願は、２０１５年９月２４日に出願された米国仮出願番号第６２／２２２,８２２号、同日に出願された米国仮出願番号第６２／２２２,８７３号、同日に出願された米国仮特許出願番号第６２／２２２,８５１号、同日に出願された米国仮出願番号第６２／２２２,８４２号、同日に出願された米国仮出願番号第６２／２２２,８３２号、及び同日に出願された米国仮出願番号第６２／２２２,８１６号の優先権を主張し、その開示内容全体がこの参照によって本明細書に組み込まれるものとする。
【０００２】
本開示は、柔軟で積層されたケーシング内に収容される粒子状発泡体を有する履物用品に広く関する。
【背景技術】
【０００３】
このセクションは、従来技術では必要のなかった本開示に関する背景情報を提供する。
【０００４】
従来、履物用品はアッパーとソール構造を含んでいる。アッパーは、ソール構造上の足を受け入れ、固定し、支持するための任意の適切な材料から形成されて良い。アッパーは、靴ひも、ストラップ、または、足の周囲のアッパーのフィット感を調整するための他の締結具と協働する。足の底面に近接するアッパーの底部は、ソール構造に固定される。
【０００５】
ソール構造は一般的に、接地面とアッパーとの間に延びる層状配列を含む。ソール構造の一つの層は接地面と耐摩耗性とトラクション（静止摩擦）を提供するアウトソールを含む。アウトソールはゴム又は他の材料から形成され、耐久性を付与し、耐摩耗性、並びに地面とのトラクションを高める。ソール構造の別の層は、アウトソールとアッパーとの間に配置されたミッドソールを含む。足のためのクッションを提供するミッドソールは、一般に少なくとも部分的に、荷重下において弾性的に圧縮するポリマー発泡材料で形成されており、グラウンド反発力を減衰させることで足を保護する。ミッドソールは、アウトソールに対面する側に底面を画定し、反対側に、足の底面特性に適合するように輪郭取りされたフットベッドを画定する。ソール構造は、アッパーの底部に近接する空間内に位置する快適性向上インソールまたは靴下を含み得る。
【先行技術文献】
【特許文献】
【０００６】
【特許文献１】本明細書には、先行技術文献は開示されていない。
【発明の概要】
【発明が解決しようとする課題】
【０００７】
ポリマー発泡材料を使用したミッドソールは、一般に、歩行又は走行中などに加わる荷重下において弾性的圧縮するように単一のスラブとして構成される。一般的に、単一スラブのポリマー発泡体は、柔軟性と応答性に関連するクッション特性をバランスに重点を置いて設計され、スラブが傾斜荷重負荷の下で圧縮する。柔らかすぎるクッションを提供するポリマー発泡体は、圧縮性と繰り返し圧縮後のグラウンド反発力を減衰させるミッドソールの能力を低下させる。逆に、硬すぎるために、応答性に優れ、柔軟性を犠牲にするポリマー発泡体は、それによって快適性の損失をもたらす。ポリマー発泡体の異なるスラブの領域は、全体として、スラブの柔軟性および応答性のバランスをとるために、密度、硬度、反発力、および材料の選択を変えることができるが、柔軟性から応答性の幅を有する傾斜荷重の負荷を受けるポリマー発泡体の単一スラブを創造することは達成が困難である。
【課題を解決するための手段】
【０００８】
本開示の一態様は、アッパー、ミッドソール、及びアウトソールを有する履物用品を含む。ミッドソールはアッパーに取り付けられ、フットベッドと底面を備えています。底面およびフットベッドは、ミッドソールの両側に配置される。アウトソールは、接地面、内面、および接地面から延びてアウトソールを取り囲む壁を有する。内面と地面との接触面は、アウトソールの反対側に配置される。履物用品はまた、粒子状物質をそれぞれ収容する少なくとも２つのケーシングのグループを含む。それぞれのケーシングは、アウトソールの長手方向軸に対して実質的に垂直に延びる厚さを有する。少なくとも２つのケーシングは、層状構成で構成され、底面と内面との間でアウトソールの壁によって囲まれたキャビティ内に受容される。
【０００９】
いくつかの実施形態では、少なくとも２つのケーシングは、ほぼ同じ量の粒子状物質を含む。他の実施形態では、少なくとも２つのケーシングは異なる量の粒子状物質を含む。いくつかの構成では、少なくとも１つのケーシングの複数の壁が共に固定されて、各々が多数の粒子状物質を含む少なくとも２つのセグメントを画定する。少なくとも２つのセグメントは、ほぼ同じ量の粒子状物質を含むことができ、または異なる量の粒子状物質を含むことができる。いくつかの例では、少なくとも２つのケーシングの厚さが異なる。他の例では、少なくとも２つのケーシングの厚さはほぼ同じである。
【００１０】
２つのケーシングのうちの少なくとも１つは、可撓性材料から形成され得る。追加的または代替的に、２つのケーシングの少なくとも１つはメッシュ材料から形成されてもよい。任意選択的に、２つのケーシングの少なくとも１つは、ナイロン材料からさらに形成される。
【００１１】
粒子状物質は、おおよそ同じ大きさおよび形状、または異なる大きさおよび形状の少なくとも１つを有する発泡体ビーズを含み得る。また、発泡体ビーズは、実質的に球形を含むことができる。それに加えて又はこれに代えて、発泡体ビーズは、実質的に多角形の形状を含む。いくつかの実施形態では、発泡体ビーズの大きさおよび形状は、少なくとも２つのケーシングのそれぞれにおいてほぼ同じである。他の実施形態では、発泡体ビーズの大きさおよび形状は、少なくとも２つのケーシングのそれぞれにおいて異なる。
【００１２】
いくつかの実施形態では、履物用品は、少なくとも２つのケーシングとアウトソールの内面との間のキャビティ内に設けられる底クッション部材も含む。底クッション部材は、発泡体のポリマースラブ、流体充填袋、または内面から底面に向かう方向に延びる一連の突出部を含むことができる。一連の突出部は、底面から離間していてもよい。履物用品はまた、少なくとも２つのケーシングの各々の間に配置された中間クッション部材を含むことができる。
【００１３】
いくつかの構成では、少なくとも２つのケーシングは、アウトソールの長さに実質的に等しい長さを有する。他の構成では、少なくとも２つのケーシングは、アウトソールの長さより短い長さを有する。これらの構成では、履物用品は、各々が粒子状物質を含む少なくとも２つのケーシングの第２のグループを含むことができる。少なくとも２つのケーシングの第２のグループは、層状構成に形成され、キャビティ内に受容され得る。少なくとも２つのケーシングのグループは、アウトソールの踵部に近接して配置され、少なくとも２つのケーシングの第２のグループは、アウトソールの前足部に近接して配置され得る。
【００１４】
本開示の別の態様は、アッパーと、アッパーに取り付けられたアウトソールと、フットベッドと、フットベッドよりもミッドソールの反対側に配置された底面とを有するミッドソールとを有する履物用品を含む。アウトソールは、接地面と、接地面とは反対側の面に配置された内面とを有する。壁は、接地面から延び、アウトソールを取り囲む。ミッドソールの底面は、アウトソールの内面と対向し、その間において壁によって境界が定められたキャビティを画定している。履物用品はまた、粒子状物質をそれぞれ含み、キャビティ内に受容される第１のケーシングおよび第２のケーシングを含む。第１ケーシングは、アウトソールの内面に対向し、第２ケーシングは、第１ケーシングとミッドソールの底面との間に配置される。
【００１５】
いくつかの構成では、第１のケーシングおよび第２のケーシングの少なくとも１つの壁が共に固定され、各々がほぼ同じ量の粒子状物質を含む少なくとも２つのセグメントを画定する。他の構成では、第１のケーシングと第２のケーシングの少なくとも一方の壁が共に固定されて、それぞれ異なる量の粒子状物質を含む少なくとも２つのセグメントを画定する。第１のケーシングおよび第２のケーシングは、可撓性材料から形成され得る。追加的または代替的に、第１のケーシングおよび第２のケーシングは、メッシュ材料から形成されてもよい。任意選択的に、第１のケーシングおよび第２のケーシングは、ナイロン材料からさらに形成され得る。
【００１６】
粒子状物質は、ほぼ同じ大きさおよび形状、または異なる大きさおよび形状の少なくとも１つを有する発泡体ビーズを含み得る。発泡体ビーズは、実質的に球形を含むことができる。それに加えまたはこれに代えて、発泡体ビーズは、実質的に多角形の形状を含む。いくつかの実施形態では、発泡体ビーズの大きさおよび形状は、第１のケーシングおよび第２のケーシングにおいてほぼ同じである。他の実施態様では、発泡体ビーズの大きさおよび形状の少なくとも１つが、第１のケーシングおよび第２のケーシングにおいて異なる。
【００１７】
いくつかの実施形態では、履物用品は、第１のケーシングとアウトソールの内面との間のキャビティ内に設けられる底クッション部材も含む。底クッション部材は、発泡体のポリマースラブ、流体充填袋、またはアウトソールの内面からミッドソールの底面に向かう方向に延びる一連の突出部を含むことができる。一連の突出部は、底面から離間していてもよい。履物用品はまた、第１のケーシングと第２のケーシングとの間に配置された中間クッション部材を含むことができる。
【００１８】
いくつかの構成では、第１のケーシングおよび第２のケーシングは、アウトソールの長さと実質的に等しい長さを有する。他の構成では、履物用品はまた、第３のケーシングと、キャビティ内に受容された第４のケーシングとを含む。これらの構成では、第３のケーシングは、アウトソールの内面に対向し、第４のケーシングは、第３のケーシングと層状構成で対向し、第１のケーシングおよび第２のケーシングはそれぞれ、アウトソールの長さよりも短い長さを含む。ここで、第３ケーシング及び第４ケーシングは、アウトソールの前足部及び中足部のいずれかに近接して配置され、第１ケーシング及び第２ケーシングは、アウトソールの踵部に近接して配置され得る。いくつかの例では、第２ケーシングは、第１ケーシングよりもアウトソールの長手方向軸に実質的に垂直な方向に延びる、異なる厚さを有する。第１ケーシング及び第２ケーシングは、異なる量の粒子状物質を収容することができる。
【００１９】
本開示のさらに別の態様では、アッパー、ミッドソール、およびアウトソールを有する履物用品が提供される。アウトソールは、アッパーに取り付けられ、接地面と、内面と、接地面から延びてアウトソールを取り囲む壁とを有する。内面は、接地面とは反対側の面に配置される。ミッドソールは、フットベッドと底面とを有する。底面およびフットベッドは、ミッドソールの両側に配置される。底面は、アウトソールの内面と対向し、アウトソールの壁によって境界を定められたキャビティを画定している。履物用品はまた、キャビティ内に受容された第１の量の粒子状物質と、キャビティ内に受容された第２の量の粒子状物質とを含み、第２の量の粒子状物質が第１の量の粒子状物質から分離される。第２の量の粒子状物質は、第１の量の粒子状物質とミッドソールの底面との間に配置される。
【００２０】
いくつかの実施例では、第１の量の粒子状物質が第１のケーシング内に収容される。追加的または代替的に、第２の量の粒子状物質が第２のケーシング内に収容される。
【００２１】
第１のケーシングおよび第２のケーシングは、可撓性材料、メッシュ材料およびナイロン材料のうちの少なくとも１つから形成され得る。粒子状物質は、ほぼ同じ大きさおよび形状、または異なる大きさおよび形状の少なくとも１つを有する発泡体ビーズを含むことができる。発泡体ビーズは、実質的に球形を含み得る。それに加えて又はこれに代えて、発泡体ビーズは、実質的に多角形の形状を含む。いくつかの実施形態では、発泡体ビーズの大きさおよび形状は、第１のケーシングおよび第２のケーシングにおいてほぼ同じである。他の実施態様では、発泡体ビーズの大きさおよび形状の少なくとも１つが、第１のケーシングおよび第２のケーシングにおいて異なる。
【００２２】
いくつかの実施形態では、履物用品は、第１の量の粒子状物質とアウトソールの内面との間のキャビティ内に設けられる底クッション部材も含む。これらの実施形態では、底クッション部材は、ポリマー発泡体のスラブ、流体充填袋、および内面から底面に向かう方向に延びる一連の突出部のうちの少なくとも１つを含む。一連の突出部は、底クッション部材が一連の突出部を含むとき、ミッドソールの底面から離間していてもよい。いくつかの構成では、第１の量の粒子状物質および第２の量の粒子状物質がそれぞれ可撓性ケーシング内に受容される。
【００２３】
本開示の別の態様では、履物用品を製造する方法を提供する。この方法は、フットベッドとアウトソールとの間にキャビティを設け、キャビティ内でアウトソールに隣接する粒子状物質を含む第１のケーシングを提供するステップを含む。この方法はまた、第１のケーシングとフットベッドとの間で、キャビティ内の粒子状物質を収容する第２のケーシングを提供するステップを含む。
【００２４】
いくつかの構成では、第１のケーシングおよび第２のケーシングをキャビティ内に設けるステップは、アウトソールの長手方向軸に実質的に垂直に延びる方向における第１のケーシングの厚さを、第２のケーシングと異なる厚さに形成するステップを含む。他の構成では、第１のケーシングおよび第２のケーシングをキャビティ内に設けるステップは、アウトソールの長手方向軸に実質的に垂直に延びる方向における第１のケーシングの厚さを、第２のキャビティと実質的に同じ厚さに形成ステップを含む。
【００２５】
いくつかの実施形態では、この方法はまた、可撓性材料から第１のケーシングおよび第２のケーシングを形成するステップを含む。追加的または代替的に、この方法はまた、メッシュ材料から第１のケーシングおよび第２のケーシングを形成するステップを含む。任意選択的に、この方法は、第１のケーシングおよび第２のケーシングをナイロン材料から形成するステップを含むことができる。
【００２６】
いくつかの例では、この方法は、第１のケーシングの壁を固定し、第２のケーシングの壁を共に固定して、第１のケーシングおよび第２のケーシングのそれぞれの内部に少なくとも２つのセグメントを画定するステップを含む。少なくとも２つのセグメントには、ほぼ同じ量の粒子状物質が供給されてもよく、異なる量の粒子状物質が供給されてもよい。いくつかの実施形態では、粒子状物質を収容する第１のケーシングを設けるステップと、粒子状物質を含む第２のケーシングを設けるステップとは、実質的に球形および実質的に多角形の形状の少なくとも１つを有する多数の発泡体ビーズを、第１のケーシングおよび第２のケーシングに提供することを含む。いくつかの例では、多数の発泡体ビーズを提供するステップは、ほぼ同じ大きさおよび形状を含む発泡体ビーズを提供することを含む。あるいは、多数の発泡体ビーズを提供することは、異なる大きさおよび形状の少なくとも１つを含む発泡体ビーズを提供することを含み得る。
【００２７】
いくつかの実施形態では、これらの方法はまた、第１のケーシングとアウトソールの内面との間のキャビティ内に底クッション部材を挿入するステップを含む。１つの構成では、底クッション部材を挿入するステップは、発泡体クッション部材および流体充填クッション部材のうちの少なくとも１つを挿入することを含む。これに加えてまたはこれに代えて、当該方法は、第１のケーシングと第２のケーシングとの間に中間クッション材を挿入するステップを含むことができる。第１のケーシングと第２のケーシングとの間に中間クッション部材を挿入するステップは、第１のケーシングと第２のケーシングとの間にポリマー発泡体及び流体充填袋のうちの少なくとも１つを挿入するステップを含むことができる。
【図面の簡単な説明】
【００２８】
添付した図面は、選択された特性のプロセス目的のみを記載しており、本開示の範囲を限定するものではない。
【００２９】
【図１】本開示の原理に基づく履物用品の上面斜視図である。
【図２】図１の履物用品の分解図で、粒子状物質をそれぞれ収容し、ソール構造におけるアウトソールとミッドソールとの間のキャビティ内に受容された積層ケーシングの一つのグループを示す。
【図３】図１の線３−３で切った断面図で、粒子状物質をそれぞれ収容し、ソール構造におけるアウトソールとミッドソールとの間のキャビティ内に受容された積層ケーシングの一つのグループを示す。
【図４】図２の線４−４で切った断面図で、ケーシングの内壁内に配置された粒子状物質を示す。
【図５】図２の線５−５で切った断面図で、ケーシングの内部領域に配置された粒子状物質を示す。
【図６】本開示の原理に基づく履物用品の上面斜視図である。
【図７】図６の線７−７で切った断面図で、粒子状物質をそれぞれ収容し、ソール構造におけるアウトソールとミッドソールとの間のキャビティ内に受容された積層ケーシングの一つのグループを示す。
【図８】本開示の原理に基づく履物用品の上面斜視図である。
【図９】図８の履物用品の分解図で、アウトソールの内面に配置された底クッション部材を含むソール構造と、粒子状物質をそれぞれ収容し、底クッション部材とミッドソールの底面との間に配置された積層ケーシングの一つのグループとを示す。
【図１０】図８の線１０−１０で切った断面図で、アウトソールの内面に配置された底クッション部材を含むソール構造と、粒子状物質をそれぞれ収容し、底クッション部材とミッドソールの底面との間に配置された積層ケーシングの一つのグループとを示す。
【図１１】本開示の原理に基づく履物用品の上面斜視図である。
【図１２】図１１の履物用品の分解図で、アウトソールの内面から延びる一連の突出部を含むソール構造と、粒子状物質をそれぞれ収容し、一連の突出部とミッドソールの底面との間に配置された積層ケーシングの一つのグループとを示す。
【図１３】図１１の線１３−１３で切った断面図で、アウトソールの内面から延びる一連の突出部を含むソール構造と、粒子状物質をそれぞれ収容し、一連の突出部とミッドソールの底面との間に配置された積層ケーシングの一つのグループとを示す。
【図１４】本開示の原理に基づく履物用品の上面斜視図である。
【図１５】図１４の線１５−１５で切った断面図で、粒子状物質をそれぞれ収容し、ソール構造におけるアウトソールとミッドソールとの間のキャビティ内に受容された積層ケーシングの一つのグループにおける各層の間に配置された中間クッション部材を示す。
【図１６】本開示の原理に基づく履物用品の上面斜視図である。
【図１７】図１６の履物用品の分解図で、粒子状物質をそれぞれ収容し、ソール構造におけるアウトソールとミッドソールとの間のキャビティ内に受容されたそれぞれ２つの積層ケーシングからなる第１のグループと第２のグループとを示す。
【図１８】図１６の線１８−１８で切った断面図で、粒子状物質をそれぞれ収容し、ソール構造におけるアウトソールとミッドソールとの間のキャビティ内に受容されたそれぞれ２つの積層ケーシングからなる第１のグループと第２のグループとを示す。
【図１９】本開示の原理に基づく履物用品の上面斜視図である。
【図２０】図１９の線２０−２０で切った断面図で、ソール構造の休息時における、粒子状物質をそれぞれ収容し、ソール構造におけるアウトソールとミッドソールとの間のキャビティ内に受容された積層ケーシングの４つのグループを示す。
【図２１】図１９の線２０−２０で切った断面図で、ソール構造の収縮時における、粒子状物質をそれぞれ収容し、ソール構造におけるアウトソールとミッドソールとの間のキャビティ内に受容された積層ケーシングの４つのグループを示す。
【図２２】本開示の原理に基づく履物用品の上面斜視図である。
【図２３】図２２の線２３−２３で切った断面図で、粒子状物質をそれぞれ収容し、ソール構造のアウトソールに受容された２つの積層ケーシングを示す。
【図２４】本開示の原理に基づく履物用品の上面斜視図である。
【図２５】図２４の線２５−２５で切った断面図で、粒子状物質をそれぞれ収容する２つの積層ケーシングと、ソール構造におけるアウトソールとミッドソールとの間のキャビティ内に受容されたクッション部材と、を示す。
【図２６】本開示の原理に基づく履物用品の上面斜視図である。
【図２７】図２６の線２７−２７で切った断面図で、クッション部材と、粒子状物質をそれぞれ収容し、ソール構造におけるアウトソールとミッドソールとの間のキャビティ内に受容された２つの積層ケーシングと、を示す。
【図２８】本開示の原理に基づく履物用品の上面斜視図である。
【図２９】図２８の履物用品におけるソール構造の上面図で、粒子状物質をそれぞれ収容し、アウトソールの内面に受容された２つの重なり合うケーシングを示す。
【図３０】図２９の線３０−３０で切った断面図で、楔形の断面形状を有する重なり合うケーシングを示す。
【図３１】本開示の原理に基づく履物用品の上面斜視図である。
【図３２】図３１の履物用品におけるソール構造の上面図で、アウトソールの内面に配置され、粒子状物質を収容する第１のケーシングと、ソール構造の踵部で第１のケーシングと入れ子状にされ、粒子状物質を収容する第２のケーシングと、を示す。
【図３３】図３１の線３３−３３で切った断面図で、第１のケーシングにより確定された空隙内に受容された第２のケーシングを示す。
【００３０】
対応する参照番号は、図面全体にわたって対応する部分を示す。
【発明を実施するための形態】
【００３１】
例示的な構成を、添付の図面を参照してより完全に説明する。例示的な構成は、本開示を介して、本開示の範囲を当業者に完全に伝えるように提供される。特定の詳細は、本開示の構成の完全な理解を提供するために、特定の構成要素、デバイス、および方法の例などのように記載される。特定の詳細を採用する必要はなく、その構成例は多くの異なる形態で実施することができ、特定の詳細および構成例は本発明の範囲を限定するものではないことは、当業者には明らかであろう。
【００３２】
本明細書で使用される用語は、特定の例示的な構成のみを説明するためのものであって、限定することを意図するものではない。本明細書で使用されるように、単数の冠詞「a」、「an」および「the」は、文脈が他に明白に示さない限り、複数形も含むことが意図されている。「備える」、「備える」、「含む」、および「有する」という用語は、包括的であり、よって、特徴、ステップ、動作、要素および／または構成要素の存在を特定するが、ステップ、動作、要素、構成要素、および／またはそれらのグループのうちの少なくとも１つを含むことができる。本明細書に記載の方法のステップ、プロセス、および動作は、性能の順序として具体的に特定されない限り、必ずしも説明または図示された特定の順序で性能を必要とすると解釈されるべきではない。追加または代替のステップを採用してもよい。
【００３３】
ある要素または層が他の要素または層に「上に」、「接触している」、「接続されている」、「取り付けられている」または「結合している」と言及されているとき、接続され、取り付けられ、または結合されてもよく、または介在する要素または層が存在してもよい。対照的に、ある要素が他の要素または層に「直接的に」、「直接的に関与している」、「直接的に接続されている」、「直接的に接続されている」または「直接的に結合している」と言及されている場合、介入の要素または層が存在する。要素間の関係を説明するために使用される他の言葉は、同様の考え方で（例えば、「間」対「直接的な間」、「隣接」対「直接的に隣接」など）解釈されるべきである。本明細書で使用される場合、「および／または」という用語は、関連する列挙された項目の１つまたは複数の任意のすべての組み合わせを含む。
【００３４】
第１、第２、第３などの用語は、本明細書では、様々な要素、構成要素、領域、層および／またはセクションを説明するために使用され得る。これらの要素、コンポーネント、領域、層および／またはセクションは、これらの用語によって限定されるべきではない。これらの用語は、ある要素、コンポーネント、領域、層、またはセクションを他の領域、層またはセクションと区別するためにのみ使用されてもよい。「第１」、「第２」などの用語および他の数値用語は、文脈によって明白に示されない限り、順序または順番を意味しない。したがって、以下に説明する第１の要素、構成要素、領域、層、またはセクションは、例示的構成の教示から逸脱することなく、第２の要素、構成要素、領域、層またはセクションと呼ぶことができる。
【００３５】
図１〜図５を参照すると、いくつかの実施形態において、履物用品１０は、アッパー１００と、アッパー１００に取り付けられたソール構造２００とを含む。履物用品１０は、１つ以上の部分に分割されてもよい。これらの部分は、前足部１２、中足部１４、および踵部１６を含むことができる。前足部１２は、中足骨を足の骨格骨に接続するつま先および関節に対応し得る。中足部１４は、足のアーチ領域に対応し、踵部１６は、踵骨を含む足の後部に対応してもよい。履物１０は、履物１０の反対側に対応し、各部分１２、１４、１６を貫通して延びる横中央側面部１８、２０をそれぞれ含むことができる。
【００３６】
アッパー１００は、ソール構造２００に支持するために足を受け入れて固定するように構成された内部空間１０２を画定する内面を含む。踵部１６の足首開口部１０４は、内部空間１０２へのアクセスを提供することができる。足首開口部１０４は、足を受けて、足を空間１０２内に固定し、足を内部空間１０２に出し入れするのを容易にする。いくつかの例では、アッパー１００に沿って延びる１つ以上の締結具１０６が、足の周りの内部空間１０２のフィット感を調整し、足の出し入れするのを容易にする。アッパー１００は、アイレットなどの孔および／またはファスナ１０６を受ける繊維またはメッシュループのような他の係合アイテムを含むことができる。ファスナ１０６は、靴ひも、ストラップ、コード、フックアンドループ、または任意の他の適切なタイプのファスナを含み得る。
【００３７】
アッパー１００は、内部空間１０２とファスナ１０６との間に延在する舌部１１０を含み得る。アッパー１００は、内部空間１０２を形成するために互いに縫い合わされるかまたは接着剤で結合される１つ以上の材料から形成され得る。アッパーの材料には、織物、発泡体、皮革、および合成皮革が含まれ得るが、これらに限定されない。材料は、耐久性、空気透過性、耐摩耗性、柔軟性および快適性の特性を付与するように選択および配置されてもよい。
【００３８】
いくつかの実施形態では、ソール構造２００は、層状構造に配置されたアウトソール２１０およびミッドソール２２０を含む。例えば、アウトソール２１０は、履物用品１０の使用中に地面に接し、ミッドソール２２０は、アッパー１００（例えば、アウトソール２１０とミッドソール２２０）との間に配置される。いくつかの例では、ソール構造２００はまた、履物の足裏の表面を受け入れるために、履物１００の内部空間１０２内に存在することができるインソールまたは靴下などの追加の層を組み込んでもよい。これらは、履物１０の快適性を向上させる。いくつかの例では、側壁２３０は、アウトソール２１０の周囲を囲み、アウトソール２１０とミッドソール２２０とを分離して、それらの間にキャビティ２４０を画定する（図３参照）。
【００３９】
いくつかの実施形態では、それぞれが粒子状物質３５０を含む少なくとも２つの積層ケーシング３００のグループが、履物１０の使用中に足にクッションを提供するためにキャビティ２４０内に設けられる。各ケーシング３００は、ソール構造２００の長手方向軸Ｌに実質的に垂直に延びる方向における厚さと、ソール構造２００の長手方向軸Ｌに対して実質的に平行に延びる長さとを有する。いくつかの例では、キャビティ２４０内に配置されたケーシング３００は、アウトソール２１０とミッドソール２２０との間で、積重ねられた積層構造で配置される。いくつかの例では、ケーシング３００の少なくとも１つは、可撓性材料から形成される。ケーシング３００の少なくとも１つは、メッシュ材料から任意に形成することができる。それに加えてまたは代替的に、ケーシング３００の少なくとも１つは、ナイロン材料から形成されてもよい。ケーシング３００に十分な可撓性を付与することにより、ケーシング３００およびその中に設けられる粒子状物質３５０がソール構造２００の輪郭に適合することが可能になる。
【００４０】
キャビティ２４０内に設けられる少なくとも２つの積層ケーシング３００および粒子状物質３５０のグループは、従来のミッドソールが提供する機能およびクッション性を高めるために協働し得る。例えば、各ケーシング３００内に収容される粒子状物質３５０は、実質的に球形の発泡体ビーズを含むことができる。これに加えて、またはこれに代えて、各ケーシング３００内に含まれる粒子状物質３５０は、長方形または三角形などの実質的に多角形の形状を有する発泡体粒子を含むことができるが、これに限定されない。いくつかの例では、粒子状物質３５０は、ほぼ同じ大きさおよび形状を有する発泡体ビーズを含む。他の例では、粒子状物質３５０は、異なる大きさおよび形状の少なくとも１つを有する発泡体ビーズを含む。さらに、少なくとも２つのケーシング３００のそれぞれにおいて、発泡体ビーズの大きさおよび形状がほぼ同じであってもよく、または、少なくとも２つのケーシング３００のそれぞれにおいて発泡体ビーズの大きさおよび形状の少なくとも一方が異なっていてもよい。少なくとも２つのケーシング３００内に配置された粒子状物質３５０の特定の大きさ及び形状にかかわらず、粒子状物質３５０は、アウトソール２１０及びミッドソール２２０と協働し、履物用品１０に対しクッション性及び応答性の発揮をもたらす。
【００４１】
いくつかの例では、アウトソール２１０は、接地面２１２および反対側の内面２１４を含む。アウトソール２１０は、アッパー１００に取り付けることができる。いくつかの例では、側壁２３０は、アウトソール２１０の外周から延び、ミッドソール２２０および／またはアッパー１００に取り付けられる。図１の例は、前足部１２の先端に近接してアッパー１００に取り付けられたアウトソール２１０を示す。アウトソール２１０は、一般に、耐摩耗性および地面との静止摩擦力をもたらすので、耐久性および耐摩耗性を発揮し且つ地面との静止摩擦力を高める１つまたは複数の材料から形成され得る。例えば、ゴムはアウトソール２１０の少なくとも一部を形成することができる。
【００４２】
ミッドソール２２０は、底面２２２と、底面２２２よりもミッドソール２２０の反対側に配置されたフットベッド２２４とを含み得る。縫合２２６または接着剤は、ミッドソール２２０をアッパー１００に固定することができる。フットベッド２２４は、足の底面（例えば、足底）の特性に一致するように輪郭付けられている。いくつかの例では、インソールまたは靴下（いずれも図示せず）が、アッパー１００の内部空間１０２の少なくとも一部内で、足下のフットベッド２２４上に配置されてもよい。底面２２２は、アウトソールの内面２１４に対向し、それらの間にキャビティ２４０を画定する。ミッドソール２２０は、使用者の足がキャビティ２４０に設けられる粒子状物質３５０に適合して移動することを許容する可撓性材料から形成することができる。そのようなものとして、可撓性ミッドソール２２０は可撓性シュトローベル(stroble)から形成され、粒子状物質３５０が、ソール構造２００の傾斜荷重負荷時に足の底面の特性と相互作用するように、キャビティ２４０内に配置されることを許容する。
【００４３】
いくつかの例では、側壁２３０は、底面２２２と内面２１４との間の分離の長さに基づいて、キャビティ２４０の周囲ならびにキャビティ２４０の深さを画定することができる。１つ以上のポリマー発泡体材料により側壁２３０が形成され、グラウンド反発力を減衰させるために、加えられた荷重の下で弾性圧縮性が提供される。いくつかの例では、側壁２３０は、アウトソール２１０と一体的に形成され、内面２１４からミッドソール２２０の底面２２２に向かって長手方向軸Ｌに対して実質的に垂直に延びる。
【００４４】
図２は履物用品１０の分解図で、それぞれが粒子状物質３５０を含み、アウトソール２１０とミッドソール２２０との間のキャビティ２４０内に受容される２つのケーシング３００を示す。２つのケーシング３００のグループは、アウトソール２１０の内面に対向する第１のケーシング３１０と、第１のケーシング３１０に対向して積重なった第２のケーシング３２０を含む。第１のケーシング３１０は、第１の端部３１２と第２の端部３１４との間でソール構造２００の長手方向軸Ｌに実質的に平行に延びる長さと、ソール構造２００の長手方向軸Ｌに対して実質的に垂直に延びる厚さ３１６と、横側面部１８と中央側面部２０との間にそれぞれ延びる幅と、をそれぞれ画定する。同様に、第２のケーシング３２０は、第１の端部３２２と第２の端部３２４との間でソール構造２００の長手方向軸Ｌに実質的に平行に延びる長さと、ソール構造２００の長手方向軸Ｌに対して実質的に垂直に延びる厚さ３２６と、横側面部１８と中央側面部２０との間にそれぞれ延びる幅と、をそれぞれ画定する。第１の端部３１２、３２２は、アウトソール２１０の踵部１６に近接して配置され、第２の端部３１４、３２４は、アウトソール２１０の前足部１２に近接して配置され得る。したがって、２つの積層ケーシング３００のグループは、アウトソール２１０の前足部１２、中足部１４、および踵部１６をそれぞれ通って延びる。
【００４５】
各ケーシング３１０、３２０の長さおよび厚さは、粒子状物質３５０をその中に受けるための容積を画定するように協働する。いくつかの例では、第１のケーシング３１０および第２のケーシング３２０のそれぞれの厚さ３１６、３２６は、ほぼ同じである。これらの例では、第１のケーシング３１０および第２のケーシング３２０がそれぞれほぼ同じ長さを画定する場合、その中に設けられる粒子状物質３５０の量はほぼ同じであってもよい。しかしながら、ケーシング３１０、３２０の一方が、ケーシング３１０、３２０の厚さ及び長さがほぼ同じであっても、他方のケーシング３１０、３２０よりも多量の粒子状物質３５０を含むことができる。そうすることで、粒子状物質３５０の密度は、第１のケーシング３１０と第２のケーシング３２０との間でそれぞれ変化することができ、それによって、ケーシング３１０、３２０のそれぞれに設けられる粒子状物質３５０によって提供される軟質クッションのレベルが異なる。他の例では、第１のケーシング３１０および第２のケーシング３２０のそれぞれの厚さ３１６、３２６が異なる。これらの実施例では、その中に設けられる粒子状物質３５０の量は異なっていてもよいし、あるいは同じであってもよい。
【００４６】
図３は、図２の線３−３で切った断面図で、粒子状物質３５０をそれぞれ含み、アウトソール２１０とミッドソール２２０との間のキャビティ２４０内に受容された、積層された第１のケーシング３１０および第２のケーシング３２０をそれぞれ示す。図３は、第１のケーシング３１０の外壁３１８がアウトソール２１０の内面２１４と第２のケーシング３２０の外壁３２８の両方と接触するように積層構造に積み重ねられたケーシング３１０、３２０を示す。第２のケーシング３２０の外壁３２８は、第１のケーシング３１０とミッドソール２２０との間に第２のケーシング３２０が配置されるように、ミッドソール２２０における第１のケーシング３１０の反対側の底面２２２と接触してもよい。いくつかの構成では、ミッドソール２２０またはその一部を除去して、足の底面と第２のケーシング３２０の外壁３２８との間の直接接触をもたらすことができる。第１のケーシング３１０および第２のケーシング３２０はそれぞれ、対応する内面３１９ 、３２９のそれぞれの中に設けられる粒子状物質３５０を囲み封入する。各ケーシング３１０、３２０内に設けられる粒子状物質３５０の量は、同じであっても異なっていてもよい。例えば、ケーシング３１０、３２０内の粒子状物質３５０の厚さ及び密度の少なくとも１つを変化させることによって、粒子状物質３５０の量を増減することができる。
【００４７】
第１のケーシング３１０および第２のケーシング３２０のそれぞれ内に設けられる粒子状物質３５０は、ソール構造２００の１つまたは複数の部分１２、１４、１６で圧縮し、傾斜荷重が加えられたときにグラウンド反発力を減衰させることができる。いくつかの例では、第１のケーシング３１０は、第２のケーシング３２０の厚さ３２６よりも大きな厚さ３１６を有し、層状構成の最下層に位置する第１のケーシング３１０に設けられるより多い量の粒子状物質３５０を提供する。ケーシング３１０、３２０の少なくとも１つは、可撓性材料から形成され、キャビティ２４０の形状および大きさに適合する十分な可撓性を提供することができる。例えば、第１のケーシング３１０がキャビティ２４０内に設置された時、第１ケーシング３１０、側壁２３０及び底面２２２の間に締り嵌めが設けられ得る。同様に、第２ケーシング３２０がキャビティ２４０内で第１のケーシング３１０上に積み重ねられた時、第２ケーシング３２０、側壁２３０、第１のケーシング３１０、及び底面２２２の間に締り嵌めが設けられてもよい。
【００４８】
いくつかの実施形態では、粒子状物質３５０（例えば、発泡体ビーズ）は、少なくとも１つのケーシング３１０、３２０をわずかに過充填し、粒子状物質３５０が、対応する内面３１９、３２９によって囲まれた実質的にすべての空隙を占めることを可能にし、それによって、それぞれのケーシング３１０、３２０を膨張させて、対応する外壁３１８、３２８に実質的に均一で滑らかな表面形状を提供することができる。これに対して、ケーシング３１０、３２０が粒子状物質３５０で過剰充填されておらず、その代わりに重力のみで充填された場合、ケーシング３１０、３２０は、粒子状物質３５０によって占有されていない空隙を有することができ、それにより、その中に設けられる粒子状物質３５０が、ソール構造２００が圧縮されたときに自由に動き移動する十分な機会を提供する。図４は、図３の線４−４で切った第２のケーシング３２０の断面図で、内面３２９によって囲まれたすべての空隙を実質的に充填する粒子状物質３５０の例を示す。図５は、図３の線５−５で切った第１のケーシング３１０の断面図で、内面３１９によって囲まれたすべての空隙を実質的に充填する粒子状物質３５０の例を示す。粒子状物質３５０は、ケーシング３１０、３２０のすべての空隙を実質的に満たすものとして記載されているが、粒子状物質３５０は実質的に球形を含み得るように、隣接する粒子状物質３５０の間には明らかに隙間が存在することを注意されたい。
【００４９】
図４に示すように、いくつかの例では、第２のケーシング３２０の内面３２９は、粒子状物質３５０（例えば、発泡体ビーズ）を受け入れて収容する単一の内部領域４２０を画定する。図４は、単一の内部領域４２０内の内面３２９によって囲まれた全ての空隙を実質的に充填する粒子状物質３５０を示す。選択として、図５に示す別の例のように、第１のケーシング３１０は、内部表面３１９と協働し、対応する量の粒子状物質３５０（例えば、発泡体ビーズ）を受け入れて収容する２つ以上の内部領域４１０、４１２、４１４を画定する１つ以上の仕切り４０２、４０４を含む。これらの例では、仕切り４０２、４０４は、対応する内部領域４１０、４１２、４１４内の粒子状物質３５０の量を制限することによって、繰り返し圧縮中にケーシング３１０内の粒子状物質３５０が自由に動くことを制限し、それによって、内面３１９によって囲まれた粒子状物質３５０の均一な配設を維持する。他の例では、第１のケーシング３１０は単一の内部領域（図４に同様に示されている）を画定する一方、第２のケーシング３２０は２つ以上の内部領域を画定する１つ以上の仕切りを含むことができる。他の構成では、それぞれ第１のケーシング３１０および第２のケーシング３２０を含むことができ、第１および第２のケーシング３１０、３２０はそれぞれ図５に示すような２つ以上の内部領域を画定する。いくつかの実施形態では、内部領域４１０、４１２、４１４は、ほぼ同じ量の粒子状物質３５０を含む。他の例では、内部領域４１０、４１２、４１４の少なくとも１つは、異なる量の粒子状物質３５０を含む。
【００５０】
仕切り４０２、４０４は、ステッチング４２６または他の適切な固定技術によって、お互いに、内壁３１８および／または外壁３２８にそれぞれ固定することができる。図５は、３つの内部領域４１０、４１２、４１４を画定するための２つの仕切り４０２、４０４を含む第１のケーシング３１０を示しているが、１つ以上の仕切りの任意の構成を使用して２つ以上の内部領域を画定することができる。いくつかの実施形態では、第１のケーシング３１０（および／または第２のケーシング３２０）は、その長さに沿って２つ以上の内部領域４１０、４１２、４１４（図５参照）と、第１の端部３１２（３２２）と第２の端部３１４（３２４）との間に位置する単一の内部領域４２０（図４参照）とを含む。例えば、踵部１６または前足部１２のようなソール構造２００の傾斜荷重負荷時により頻繁に圧縮することが可能なケーシング３１０、３２０のセグメントは、粒子状物質の動きを制限する２つ以上の内部領域を有してもよい。他方では、中足部１４のように、より少ない頻度で圧縮するか、または低圧縮下にあるケーシング３１０、３２０のセグメントは、粒子状物質３５０の大きな動きが起こりにくいので、単一の内部領域を含むことができる。ケーシング３１０、３２０は、粒子状物質３５０の自由な動きを制限する一方、ケーシング３１０、３２０内に設けられた粒子状物質３５０の幾分の移動が望ましい場合があり得る。例えば、中足部１４に近接するセグメントでは、アウトソール２１０の接地面２１２が踵部１６と前足部１２との間で地面との接触のために転動するときに、ケーシング３１０、３２０に対する粒子状物質３５０の移動がケーシング３１０、３２０内の傾斜クッションを提供する。
【００５１】
図６および図７に示すように、履物用品１０ａが提供され、アッパー１００と、アッパー１００に取り付けられたソール構造２００ａとを含む。履物用品１０に関連する構成要素の構造および機能の実質的な類似性に基づき、履物用品１０ａには、同様の参照番号が同様の構成要素を識別するために以下の図面において使用され、文字拡張子を含む同様の参照番号が、変更された構成要素を識別するために使用される。
【００５２】
ソール構造２００ａは、層状構造に配置されたアウトソール２１０ａおよびミッドソール２２０ａを含み得る。アウトソール２１０ａは、接地面２１２よりもアウトソール２１０ａの反対側に配置された内面２１４ａを含む。ミッドソール２２０ａは、ミッドソール２２０ａのフットベッド２２４とは反対側に配置された底面２２２ａを含み、可撓性材料から形成される。側壁２３０は、底面２２２ａと内面２１４ａとの間に配置されたキャビティ２４０ａを画定する。側壁２３０は、キャビティ２４０ａの深さを画定するように、底面２２２ａと内面２１４ａとを分離することができる。
【００５３】
いくつかの実施形態では、それぞれが粒子状物質３５０を含む少なくとも３つの積層ケーシング３００ａのグループが、履物１０ａの使用中に足のクッションを提供するためにキャビティ２４０ａに設けられる。図７は、図６の線７−７で切った断面図で、各々が粒子状物質３５０を含み、アウトソール２１０ａとミッドソール２２０ａとの間のキャビティ２４０ａ内に受容された３つの積層ケーシング３００ａのグループを示す。積層ケーシンググループ３００ａは、キャビティ２４０ａを少なくとも部分的に充填し、アウトソール２１０ａの内面２１４ａに対向する第１ケーシング３１０ａと、第１ケーシング３１０ａに対向して積層される第２ケーシング３２０ａと、第２のケーシング３２０ａに対向して積層される第３ケーシング３３０を含んでなる。ここで、第２ケーシング３２０ａは、第１ケーシング３１０ａと第３ケーシング３３０との間に配置され、第１ケーシング３１０ａは、第２ケーシング３２０ａとアウトソール２１０ａとの間に配置され、第３ケーシング３３０は、第２ケーシング３２０ａとミッドソール２２０ａとの間に配置される。いくつかの構成では、ミッドソール２２０ａまたはその一部を除去して、足の底面と第３のケーシング３３０との間の直接接触を提供することができる。各ケーシング３１０ａ、３２０ａ、３３０は、ソール構造２００ａの軸線Ｌと実質的に平行に延びる長さと、横側面部１８と中央側面部２０との間に広がる幅と、をそれぞれ画定する。さらに、各ケーシング３１０ａ、３２０ａ、３３０は、ソール構造２００ａの長手方向軸Ｌに対して実質的に垂直に延びる対応する部分の各厚さ３１６ａ、３２６ａ、３３６を画定することができる。いくつかの例では、第１、第２および第３のケーシング３１０ａ、３２０ａ、３３０のそれぞれの厚さは、ほぼ同じである。他の例では、第１、第２及び第３のケーシング３１０ｄ、３２０ｄ、３３０の少なくとも１つの厚さがそれぞれ異なる。
【００５４】
第１、第２、および第３のケーシング３１０ａ、３２０ａ、３３０内のそれぞれに設けられる粒子状物質３５０は、傾斜荷重負荷が印加されると、ソール構造２００ａの１つまたは複数の部分１２、１４、１６で圧縮され、グラウンド反発力を減衰させることができる。いくつかの例では、第１ケーシング３１０ａは、第２ケーシング３２０ａの厚さ３２６ａと第３ケーシング３３０の厚さ３３６とよりも大きい厚さ３１６ａを含み、第１ケーシング３１０ａに設けられる粒子状物質３５０の量は、第２のケーシング３２０ａおよび第３のケーシング３３０のそれぞれに設けられる粒子状物質３５０より多くの量を含む。これらの例では、第２ケーシング３２０ａの厚さ３２６ａと第３ケーシング３３０の厚さ３３６とは同じであっても異なっていてもよい。
【００５５】
図７は、第１ケーシング３１０ａの外壁３１８ａがアウトソール２１０ａの内面２１４ａおよび第２ケーシング３２０ａの外壁３２８ａと接触するように積層された積層ケーシング３００ａのグループを示す。第２ケーシング３２０ａは、第１ケーシング３１０ａと第３ケーシング３３０との間に、第３ケーシング３３０の外壁３３８が第２ケーシング３２０ａの外壁３２８ａと第１ケーシング３１０ａとは反対側で接するように配置されている。第３ケーシング３３０の外壁３３８は、第２ケーシング３２０ａの反対側のミッドソール２２０ａの底面２２２ａにも接触することができる。第１、第２、および第３のケーシング３１０ａ、３２０ａ、３３０は、内部に設けられた粒子状物質３５０を包囲し封入する、対応する各内面３１９ａ、３２９ａ、３３９を画定することができる。図１〜図５のケーシング３００を参照して説明したように、いくつかの実施形態では、粒子状物質３５０（例えば、発泡体ビーズ）は、少なくとも１つのケーシング３１０ａ、３２０ａ、３３０をわずかに過充填され、粒子状物質３５０が、対応する内面によって囲まれた実質的にすべての空隙を占めることを許容し、これによって、各ケーシング３１０ａ、３２０ａ、３３０は、対応する外壁３１８ａ、３２８ａ、３３８において実質的に均一で滑らかな表面形状を提供するように拡張される。ケーシング３１０ａ、３２０ａ、３３０はまた、単一の内部領域（例えば、図４の単一内部領域４２０）内、２つ以上の内部領域（例えば、図５の内部領域４１０、４１２、４１４）内、またはそれらの対応する長さに沿ったそれらの組み合わせに、粒子状物質３５０を収容し得る。さらに、ケーシング３１０ａ、３２０ａ、３３０のそれぞれに含まれる粒子状物質３５０の量は、対応するケーシングによって規定される容積および／またはその中に設けられる粒子状物質３５０の密度に依存する。したがって、粒子状物質３５０の量は、各ケーシング３１０ａ、３２０ａ、３３０においてほぼ同じであってもよく、またはケーシング３１０ａ、３２０ａ、３３０の少なくとも１つは、他のケーシング３１０ａ、３２０ａ、３３０とは異なる量の粒子状物質３５０を含んでもよい。
【００５６】
ケーシング３１０ａ、３２０ａ、３３０の少なくとも１つは、可撓性材料から形成され得る。例えば、ケーシング３１０ａ、３２０ａ、３３０の少なくとも１つは、図１〜図５の第１および第２ケーシング３１０、３２０の少なくとも１つを形成するメッシュ材料および／またはナイロン材料から形成されてもよい。したがって、ケーシング３１０ａ、３２０ａ、３３０および粒子状物質３５０は、キャビティ２４０ａの形状および大きさに適合し、それによって、積重ねられたケーシング３１０ａ、３２０ａ、３３０がキャビティ２４０ａ内に受容されたとき、アウトソール２１０ａの内面２１４ａと側壁２３０とミッドソール２２０ａの底面２２２ａとの間で相互的な締りばめを形成する。ミッドソール２２０ａは、履物用品１０のミッドソール２２０に十分な可撓性を付与する可撓性材料から形成され、それによって、ソール構造２００ａの傾斜荷重負荷時に、ケーシング３００ａ内に設けられる粒子状物質を足の底面の特性と相互作用させることができる。
【００５７】
いくつかの実施形態では、３つの積層ケーシング３００ａのグループによって占有されるキャビティ２４０ａの容積は、図１〜図５に示す２つの積層ケーシング３００のグループによって占有されるキャビティ２４０の容積にほぼ等しい。したがって、第１、第２および第３のケーシング３１０ａ、３２０ａ、３３０の各厚さ３１６ａ、３２６ａ、３３６の合計は、図１〜図５の第１のケーシング３１０、第２のケーシング３２０の各厚さ３１６、３２６の合計にほぼ等しい。図１〜図５のケーシング３１０、３２０の厚さの合計が、各ケーシング３１０ａ、３２０ａ、３３０に対応する厚さ３１６ａ、３２６ａ、３３６の合計と略等しいシナリオでは、ケーシング３１０ａ、３２０ａ、３３０のそれぞれに対応する厚さ３１６ａ、３２６ａ、３３６は、図１〜図５のケーシング３１０、３２０のそれぞれに対応する厚さ３１６、３２６より小さい。このシナリオでは、より小さい厚さ３１６ａ、３２６ａ、３３６は、粒子状物質３５０の量を収容するためのより小さい体積をもたらし、これによって、対応するケーシング３１０ａ、３２０ａ、３３０のそれぞれによって囲まれたより小さな領域内に相当量の粒子状物質３５０を封入する。このようにして、傾斜荷重が負荷されてソール構造２００ａが圧縮されると、粒子状物質３５０の動き又は移動が、図１〜図５の構成と比較して低減され得る。  
【００５８】
任意の構成において、ソール構造２００ａは、本願の範囲から逸脱することなく、キャビティ２４０ａ内に受容された４つ以上の積層ケーシングのグループを含むように変更することができる。
【００５９】
図８〜図１０に示すように、履物用品１０ｂが提供され、それはアッパー１００と、アッパー１００に取り付けられたソール構造２００ｂとを含む。履物用品１０に関連する構成要素の構造および機能の実質的な類似性に基づき、履物用品１０ｂでは、同様の参照番号が同様の構成要素を識別するために以降の図面において使用され、文字拡張子を含む同様の参照番号が、変更された構成要素を識別するために使用される。
【００６０】
ソール構造２００ｂは、層状構造に配置されたアウトソール２１０ｂおよびミッドソール２２０ｂを含み得る。アウトソール２１０ｂは、アウトソール２１０ｂの接地面２１２とは反対側に配置された内面２１４ｂを含む。ミッドソール２２０ｂは、フットベッド２２４よりもミッドソール２２０ｂの反対側に配置された底面２２２ｂを含む。側壁２３０は、底面２２２ｂと内面２１４ｂとの間のキャビティ２４０ｂの境界を定める。側壁２３０は、キャビティ２４０ｂの深さを画定するために、底面２２２ｂと内面２１４ｂとを分離することができる。
【００６１】
いくつかの構成では、粒子状物質３５０をそれぞれ収容する少なくとも２つの積層ケーシング３００のグループは、アウトソール２１０ｂとミッドソール２２０ｂとの間のキャビティ２４０ｂ内に配置された底クッション部材５００上に配置される。少なくとも２つの積層ケーシング３００のグループは、図１〜図５を参照しつつ上述した第１のケーシング３１０および第２のケーシング３２０のそれぞれを含む。他の構成では、３つ以上の積層ケーシングが、本願の範囲から逸脱することなく、底クッション部材５００上に配置され得る。底クッション部材５００は、アウトソール２１０ａの内面２１４ｂ上に設けられてもよく、内面２１４ｂおよび側壁２３０の周縁などのように、ソール構造２００ｂの表面特性に一致する大きさおよび形状を含むことができる。したがって、第１ケーシング３１０は、底クッション部材５００の上部に対向して配置され、第２ケーシング３１０は、第１ケーシング３１０の底クッション部材５００とは反対側の面に対向して配置されてもよい。したがって、底クッション部材５００は、第１ケーシング３１０とアウトソール２１０ｂとの間に配置され、第１ケーシング３１０は、底クッション部材５００と第２ケーシング３２０との間に配置され、第２ケーシング３２０は、第１ケーシング３１０とミッドソール２２０ｂとの間に配置される。
【００６２】
いくつかの実施形態では、底クッション部材５００は、ポリマー発泡体のスラブを含む。いくつかの実施例では、エチル・ビニル・アセテートまたはポリウレタンのような１つまたは複数のポリマー発泡体材料によりポリマー発泡体のスラブが形成され、荷重負荷時におけるグラウンド反発力を減衰させるために、応答性および弾力圧縮性を提供する。
【００６３】
任意選択的に、底クッション部材５００は、流体充填チャンバ（例えば、液体袋）（図示せず）を含むことができる。いくつかの例では、流体充填チャンバは、加圧流体を受容し、その中に加圧流体を保持する耐久性のある密封バリアを形成する内部空隙を画定する。例えば、加圧流体は空気であってもよい。流体充填チャンバを形成するために、広範囲のポリマー材料を利用することができる。ポリマー材料を選択する際には、引張強度、伸び特性、疲労特性、および動的弾性率などの工学的特性ならびに流体充填チャンバによって収容される流体の拡散を防止する材料の能力が考慮され得る。流体充填チャンバを形成するために使用される例示的な材料は、熱可塑性ウレタン、ポリウレタン、ポリエステル、ポリエステル・ポリウレタン、およびポリエーテル・ポリウレタンのうちの１つ以上を含み得る。流体充填チャンバは、グラウンド反発力を減衰させるために荷重が負荷されたときに応答性クッションを提供することができる。
【００６４】
図９は図８の履物用品の分解図で、アウトソール２１０ｂの内面２１４ｂに配置された底クッション部材５００と、底クッション部材５００とミッドソール２２０ｂの底面２２２ｂとの間に配置された粒子状物質３５０をそれぞれ含む積層ケーシング３００のグループと、を含むソール構造２００ｂを示す。ケーシング３００および底クッション部材５００は、前足部１２、中足部１４、および踵部１６をそれぞれ通って延びるアウトソール２１０ｂの長さに実質的に等しい長さを画定する。底クッション部材５００は、実施例においてポリマー発泡体のスラブとして示されているが、しかしながら、同様に応答性クッションを提供するために、流体充填チャンバをポリマー発泡体のスラブの代わりに置き換えることができる。底クッション部材５００およびその上に配置された２つの積層ケーシング３１０、３２０は協働して、従来のミッドソールが提供する機能およびクッション性を高めることができる。例えば、粒子状物質３５０による圧縮は軟質クッションをもたらし、一方、底クッション部材５００による圧縮は応答性クッションをもたらすことができる。したがって、底クッション部材５００および粒子状物質３５０は協働して、負荷荷重が変化するにつれて変化する履物用品１０ｂの傾斜クッションをもたらすことができる（すなわち、荷重が大きいほど、底クッション部材５００が大きく圧縮し、履物１０ｂがより敏感に反応する）。
【００６５】
図１０は、図８の線１０−１０で切った断面図で、ソール構造２００ｂに負荷がかかっいない安静時における、アウトソール２１０ｂの内面２１４ｂに配置された底クッション部材５００と、底クッション部材５００とミッドソール２２０ｂの底部２２２ｂとの間にそれぞれ配置された積層された第１のケーシング３１０および第２のケーシング３２０と、を示す。図１〜図５のソール構造２００のキャビティ２４０の深さと比較して、ソール構造２００内のキャビティ２４０ｂは、底クッション部材５００を収容するより大きな深さを有する。いくつかの例では、底クッション部材５００は、キャビティ２４０ｂ内に位置する空きスペースの一部を占めるような大きさと形状とされている。ここで、底クッション部材５００と底面２２２ｂとの間の隙間は、積層されたケーシング３１０、３２０を収容するキャビティ２４０ｂ内の残りの空きスペースの部分を画定する。例えば、第１ケーシング３１０の外壁３１８は、底クッション部材５００に接触し、底クッション部材５００と反対側の第２ケーシング３２０の外壁３２８と接触することができる。第２ケーシング３２０の外壁３２８は、第１ケーシング３１０と反対側のミッドソール２２０ｂの底面２２２ｂと接触することができる。ミッドソール２２０ｂは、履物用品１０のミッドソール２２０を形成する可撓性材料から形成され、ミッドソール２２０ｂに十分な可撓性を与え、それによって、ソール構造２００ｂの傾斜荷重負荷時に、少なくとも２つの積層ケーシング３００内に設けられた粒子状物質３５０が足の底面の特性と相互作用するのを許容する。いくつかの構成では、ミッドソール２２０ｂまたはその一部を除去して、足の底面と第２のケーシング３２０の外壁３２８との間の直接接触をもたらすことができる。いくつかの例では、多数の粒子状物質３５０が、ケーシング３１０、３２０の各々を僅かに過充填（例えば、詰込み）して、対応する外壁３１８、３２８を外向きに膨張させる。その際、ソール構造２００ｂが組み立てられると、多数の粒子状物質３５０が僅かに圧縮し、それにより、図１〜図５を参照しつつ前述した同様の方法で、ケーシング３１０、３２０が、側壁２３０と、ミッドソール２２０ｂの底面２２２ｂと、底クッション部材５００との間で囲まれた実質的すべての空隙を充たすことを許容する。      。
【００６６】
ソール構造２００ｂの傾斜荷重負荷時、ミッドソール２２０ｂは、各ケーシング３１０、３２０内に設けられる粒子状物質３５０がミッドソール２２０ｂと底クッション部材５００との間で圧縮するとき、アウトソール２１０ｂに向かって並進することができる。ここで、底クッション部材５００は、アウトソール２１０ｂ（およびケーシング３１０、３２０）とミッドソール２２０ｂとの間で弾性的に圧縮する。底クッション部材５００は、粒子状物質３５０（例えば発泡体ビーズ）をそれぞれ含み、底クッション部材５００上に設けられた積層された第１、第２のケーシング３１０、３２０と共に協働して、負荷荷重の変化に応じて変わる傾斜クッションを履物用品１０ｂに提供する（すなわち、荷重が大きいほど、底クッション部材５００ｂが大きく圧縮して、履物１０ｂがより敏感に反応する）。例えば、ソール構造２００ｂが荷重を受けると、圧縮及び／又は移動する粒子状物質３５０が、グラウンド反発力の初期衝撃時に軟質クッションのレベルを提供し、最初の衝撃後、底クッション部材５００の圧縮性が応答性クッションを提供することができる。さらに、ソール構造２００ｂが繰り返し圧縮するときに、ケーシング３１０、３２０は協働して、それぞれ対応する量の粒子状物質３５０がソール構造２００ｂ全体にわたって移動またはシフトするのを防止する。
【００６７】
図１１〜図１３に示すように、履物用品１０ｃが提供され、アッパー１００と、アッパーに取り付けられたソール構造２００ｃと、を含む。履物用品１０に関連する構成要素の構造および機能の実質的な類似性に基づき、履物用品１０ｃでは、同様の参照番号が同様の構成要素を識別するために、以降の図面において使用され、文字拡張を含む同様の参照番号が、変更された構成要素を識別するために使用される。
【００６８】
ソール構造２００ｃは、層状構造に配置されたアウトソール２１０ｃおよびミッドソール２２０ｃを含み得る。アウトソール２１０ｃは、接地面２１２よりもアウトソール２１０ｃの反対側に配置された内面２１４ｃを含む。ミッドソール２２０ｃは、ミッドソール２２０ｃのフットベッド２２４とは反対側に配置された底面２２２ｃを含み、柔軟な材料から形成され得る。側壁２３０は、底面２２２ｃと内面２１４ｃとの間のキャビティ２４０ｃの境界を定める。側壁２３０は、キャビティ２４０ｃの深さを画定するために、底面２２２ｃと内面２１４ｃとを分離することができる。
【００６９】
いくつかの構成では、粒子状物質３５０をそれぞれ収容する少なくとも２つの積層ケーシング３００のグループは、アウトソール２１０ｃとミッドソール２２０ｃとの間のキャビティ２４０ｃ内に位置する底クッション部材５００ｃ上に配置される。少なくとも２つの積層ケーシング３００のグループは、図１〜図５を参照して上述された第１のケーシング３１０および第２のケーシング３２０をそれぞれ含む。他の構成では、３つ以上の積層ケーシングが、本願の範囲から逸脱することなく、底クッション部材５００ｃ上に配置され得る。いくつかの実施例では、底クッション部材５００ｃは、キャビティ２４０ｃ内に延びる一連の突出部（以後、突出部５００ｃ）を含み、足へのクッションを提供するとともに、履物１０ｃの使用時に、キャビティ２４０ｃ内に設けられた、積み重ねられた第１のケーシング３１０および第２のケーシング３２０の動きを支持および制限する。突出部５００ｃは、エチル・ビニル・アセテートまたはポリウレタンのような１つまたは複数のポリマー発泡体材料から形成され、荷重負荷時のグラウンド反発力を減衰させる弾性圧縮性を与えることができる。
【００７０】
図１２は、図１１の履物用品１０ｃの分解図で、アウトソール２１０ｃの内面２１４ｃからミッドソール２２０ｃの底面２２２ｃに向かう方向に延びる突出部５００ｃ（例えば、底クッション部材）を示す。この実施形態では、粒子状物質３５０をそれぞれ含む積層ケーシング３００のグループは、突出部５００ｃとミッドソール２２０ｃの底面２２２ｃとの間に配置され得る。例えば、第１のケーシング３１０は、突出部５００ｃの端部の遠位端に対向して積み重ねられ、第２のケーシング３２０は、第１のケーシング３１０の突出部５００ｃとは反対側の面の遠位端に対向して積み重ねられてもよい。ケーシング３００および突出部５００ｃは、前足部１２、中足部１４、および踵部１６をそれぞれ通ってアウトソール２１０ｃの長さに沿って延びる。いくつかの例では、突出部５００ｃは反復する列に配置され、各突出部５００ｃは隣接する突出部５００ｃから等間隔に離間されている。他の例では、突出部５００ｃは交互に反復する列に配置されている。
【００７１】
図１３は、図１１の線１３−１３で切った断面図で、突出部５００ｃとミッドソール２２０ｃの底面２２２ｃとの間に配置された内面２１４ｃおよび積層された第１、第２のケーシング３１０、３２０から延びる突出部５００ｃ（例えば、底クッション部材）を示す。図１３は、積層された第１、第２のケーシング３１０、３２０をそれぞれ支持する突出部５００ｃを示しており、突出部５００ｃは、ソール構造２００ｃに荷重が負荷されずに静止している時、ミッドソール２２０ｃから離間している。例えば、第１のケーシング３１０の外壁３１８は、突出部５００ｃと接触していてもよく、突出部５００ｃとは反対側の第２のケーシング３２０の外壁３２８と接触していてもよい。第２のケーシング３２０の外壁３２８は、第１のケーシング３１０とは反対側で、ミッドソール２２０ｃの底面２２２ｃと接触していてもよい。ミッドソール２２０ｃは、履物用品１０のミッドソール２２０を形成する可撓性材料より形成され、これにより、ソール構造２００ｃの傾斜荷重負荷時に、ケーシング３００内に設けられた粒子状物質３５０が足の底面の特性と相互作用することを可能にする。いくつかの構成では、ミッドソール２２０ｃまたはその一部を除去して、足の底面と第２のケーシング３２０の外壁３２８との間の直接的な接触をもたらすことができる。いくつかの例では、多数の粒子状物質３５０が、ケーシング３１０、３２０のそれぞれに僅かに過充填され、対応するそれぞれの外壁３１８、３２８を外向きに膨張させる（例えば、充填する）。そうした場合、ソール構造２００ｃが組み立てられた際に、多数の粒子状物質３５０がわずかに圧縮され得る。第１のケーシング３１０は、隣接する突出部５００ｃによって画定された谷内にわずかに適合し、少なくとも部分的に入れ子状になる。
【００７２】
いくつかの実施形態では、各突出部５００ｃは、突出部５００ｃが内面２１４ｃからその遠位端まで延びるにつれて減少する断面積を含む（例えば、突出部５００ｃの断面積は、突出部５００ｃが内面２１４ｃから延びるにつれて減少する）。いくつかの例では、突出部５００ｃは、内面２１４ｃと突出部５００ｃの遠位端との間に延びる、常にテーパー状の外面を含む。積層されたケーシング３１０、３２０を支持することに加えて、突出部５００ｃの先細りおよび減少する断面積はまた、突出部５００ｃの圧縮性を制御する。突出部５００ｃの圧縮性を制御することにより、対応する前足部１２、中足部１４、および踵部１６におけるクッションの応答性が決定される。例えば、ソール構造２００ｃが負荷荷重を受けているときに、突出部５００ｃの先端または遠位端部に加えられるより小さい荷重は、先端における突出部５００ｃの断面積が比較的小さいので、より簡単に圧縮される。突出部５００ｃの残りの部分は、内面２１４ｃに近接して位置するより広い部分を圧縮するのに十分な負荷が各突出部５００ｃに加えられたときにのみ圧縮する。したがって、突出部５００ｃは、負荷荷重が増加するにつれて圧縮度を増加させる傾斜クッション効果を提供する。
【００７３】
さらに、粒子状物質３５０をそれぞれ含む積層ケーシング３１０、３２０は、ケーシングの組み合わされた厚さ３１６、３２６が、底面２２２ｂと突出部５００ｃの先端または遠位端との間の隙間を実質的に埋めるように、キャビティ２４０ｃ内に受容される。その際、ミッドソール２２０ｃを偏向させる力は、ケーシング３１０、３２０内に設けられた粒子状物質３５０の圧縮性を引き起こす。底面２２２ｂと突出部５００ｃの先端または遠位端との間の距離は、より多くの量の粒子状物質３５０を収容できるように拡大可能であって、これにより、ソール構造２００ｃの傾斜荷重負荷時に軟質クッションのレベルを増加させる。例えば、粒子状物質３５０をそれぞれ含む１つ以上の追加のケーシングが、第１、第２のケーシング３１０、３２０上に積み重ねられてもよい。図１〜図５のソール構造２００のキャビティ２４０の深さと比較して、ソール構造２００ｃのキャビティ２４０ｃは、突出部５００ｃを収容するためのより大きな深さを含むことができる。追加的または代替的に、第１、第２のケーシング３１０、３２０の少なくとも１つの厚さ３１６、３２６は、対応するケーシング３１０、３２０がより多くの粒子状物質３５０を含むことができるように増加されてもよい。いくつかの例では、追加クッションをもたらすために、追加の粒子状物質３５０（図示せず）は、隣接する突出部５００ｃと第１のケーシング３１０の外面３１８との間の空隙（例えば、谷）を埋めるように、キャビティ２４０ｃ内に緩やかに分散されてもよい。
【００７４】
ソール構造２００ｃの傾斜荷重負荷時に、それぞれのケーシング３１０、３２０内に設けられた粒子状物質３５０がミッドソール２２０ｃと突出部５００ｃとの間で圧縮するとき、ミッドソール２２０ｃはアウトソール２１０ｃに向かって並進することができる。ここで、ソール構造２００ｃに加えられる荷重が増加するにつれて、積層された第１、第２のケーシング３１０、３２０内の粒子状物質３５０が圧縮され、突出部５００ｃは、内面２１４ｃに接触しながら圧縮することができる。上述したように、粒子状物質３５０による圧縮は軟質クッションをもたらし、一方、突出部５００ｃによる圧縮は応答性クッションをもたらし得る。したがって、突出部５００ｃと、それぞれのケーシング３１０、３２０内に設けられた粒子状物質３５０とは、適用される負荷が変化するにつれて変化する履物用品１０ｃに傾斜クッションをもたらすように協働することができる（すなわち、負荷が大きいほど、５００ｃが圧縮され、したがって履物１０ｃがより敏感に反応する）。
【００７５】
図１４および図１５に示すように、履物用品１０ｄが提供され、アッパー１００と、アッパー１００に取り付けられたソール構造２００ｄとを含む。履物用品１０に関連する構成要素の構造および機能の実質的な類似性に基づき、履物用品１０ｄでは、同様の参照番号が同様の構成要素を識別するために以下の図面で使用され、文字拡張子を含む同様の参照番号が、変更された構成要素を識別するために使用される。
【００７６】
ソール構造２００ｄは、層状構造に配置されたアウトソール２１０ｄとミッドソール２２０ｄとを含み得る。アウトソール２１０ｄは、接地面２１２よりもアウトソール２１０ｄの反対側に配置された内面２１４ｄを含む。ミッドソール２２０ｄは、ミッドソール２２０ｄのフットベッド２２４とは反対側に配置された底面２２２ｄを含み、柔軟な材料から作られ得る。側壁２３０は、底面２２２ｄと内面２１４ｄとの間のキャビティ２４０ｄを画定する。側壁２３０は、底面２２２ｄと内面２１４ｄとを分離して、キャビティ２４０ｄの深さを画定することができる。
【００７７】
いくつかの実施形態では、アウトソール２１０ｄの内面２１４ｄとミッドソール２２０ｄの底面２２２ｄとの間のキャビティ２４０ｄ内に受容され、それぞれが粒子状物質３５０を収容する少なくとも２層のケーシンググループ３００ｄの各層の間に、中間クッション材が配置される。図１５は、図１４の線１５−１５で切った断面図で、アウトソール２１０ｄとミッドソール２２０ｃとの間のキャビティ２４０ｄ内に受容され、それぞれが粒子状物質３５０を収容する３層のケーシンググループ３００ｄの各層の間に配置された中間クッション部材６００を示す。他の構成では、本願の範囲から逸脱することなく、２層のケーシングまたは４層以上のケーシングが内面２１４ｄに配置されてもよい。したがって、中間クッション部材６００および積層ケーシンググループ３００ｄは、単一のケーシング３００ｄと単一の中間クッション部材６００との間に交互の繰り返し層を提供する。
【００７８】
クッション部材６００は、第１中間クッション部材６１０及び第２中間クッション部材６２０を含み、３層のケーシンググループ３００ｄは、第１ケーシング３１０ｄ、第２ケーシング３２０ｄ及び第３ケーシング３３０ｄを含むことができる。いくつかの実施形態では、中間クッション部材６１０、６２０の少なくとも１つは、エチル・ビニル・アセテートまたはポリウレタンなどの１つまたは複数のポリマー発泡体材料から形成され得るポリマー発泡体のスラブを含む。いくつかの例では、ポリマー発泡体のスラブの表面は、湾曲していてもよく、或いは窪みまたは突出部を含んでいてもよい。任意選択的に、中間クッション部材６１０、６２０の少なくとも１つは、図８〜図１０の底クッション部材５００に関し上述したように、流体充填チャンバを含むことができる。なお、図１５は、それぞれがポリマー発泡体のスラブを含む中間クッション部材６１０、６２０を示しているが、中間クッション部材６１０、６２０は、ポリマー発泡体のスラブと流体充填チャンバの任意の組み合わせを含み、荷重負荷時のグラウンド反発力を減衰させるために応答性クッションをもたらす。
【００７９】
図１５は、第１ケーシング３１０ｄの外壁３１８ｄがアウトソール２１０ｄの内面２１４ｄおよび第１クッション部材６１０と接触するように積層されたケーシング３１０ｄ、３２０ｄ、３３０ｄを示す。第１クッション部材６１０は、第２のケーシング３２０ｄの第１のケーシング３１０ｄとは反対側の外壁３２８ｄと接触してもよい。第２のケーシング３２０ｄの外壁３２８ｄは、第１のクッション部材６１０とは反対側において第２のクッション部材６２０と接触し、第２のクッション部材６２０は、第２ケーシング３２０ｄとは反対側の面で、第３のケーシング３３０ｄの外壁３３８ｄと接触してもよい。第３のケーシング３３０ｄの外壁３３８ｄは、第２のクッション部材６２０とは反対側で、ミッドソール２２０ｄの底面２２２ｄと接触していてもよい。ミッドソール２２０ｄは、履物用品１０のミッドソール２２０を形成し、ミッドソール２２０ｄに十分な可撓性を付与する可撓性材料から形成されてもよく、それにより、ソール構造２００ｄの傾斜荷重負荷時に、ケーシング３００ｄ内に設けられた粒子状物質３５０が足の底面の特性と相互作用することを可能にする。いくつかの構成では、ミッドソール２２０またはその一部を除去して、足の底面と第３のケーシング３３０ｄの外壁３３８ｄとの間の直接接触が可能となる。
【００８０】
第１、第２、第３のケーシング３１０ｄ、３２０ｄ、３３０ｄは、その中にそれぞれ設けられた粒子状物質３５０を取り囲んで封入する、対応する内面３１９ｄ、３２９ｄ、３３９ｄをそれぞれ画定することができる。図１〜図５のケーシング３００を参照して説明したように、いくつかの実施態様では、粒子状物質３５０（例えば、発泡体ビーズ）は、対応する内面３１９ｄ、３２９ｄ、３３９ｄにより包囲された実質的にすべての空隙を充たすように、少なくとも１つのケーシング３１０ｄ、３２０ｄ、３３０ｄを僅かに過充填し、これによって、ソール構造２００ｄが荷重負荷を受けずに置かれている時、対応する外壁３１８ｄ、３２８ｄ、３３８ｄにおいて、実質的に均一で滑らかな表面特性をもたらすように各ケーシング３１０ｄ、３２０ｄ、３３０ｄを拡張させる。ケーシング３１０ｄ、３２０ｄ、３３０ｄは、単一の内部領域（例えば、図４の単一内部領域４２０）内、２つ以上の内部領域（例えば、図４の内部領域４１０、４１２、４１４）内、またはそれらの対応する長さに沿ったそれらの組み合わせ内に粒子状物質３５０を封入することができる。さらに、各ケーシング３１０ｄ、３２０ｄ、３３０ｄに含まれる粒子状物質３５０の量は、対応するケーシングによって規定される容積および／またはその中に設けられる粒子状物質３５０の密度に依存する。したがって、粒子状物質３５０の量は、ケーシング３１０ｄ、３２０ｄ、３３０のそれぞれにおいてほぼ同じであってもよく、またはケーシング３１０ｄ、３２０ｄ、３３０の少なくとも１つは、異なる量の粒子状物質３５０を含んでもよい。
【００８１】
ソール構造２００ｄの傾斜荷重負荷時に、各ケーシング３１０ｄ、３２０ｄ、３３０ｄ内に設けられた粒子状物質３５０がミッドソール２２０ｄとアウトソール２１０ｄとの間で圧縮するとき、ミッドソール２２０ｄはアウトソール２１０ｄに向かって並進する。ここで、各中間クッション部材６１０、６２０は、アウトソール２１０ｄとミッドソール２２０ｄとの間で弾性的に圧縮する。中間クッション部材６１０、６２０は、粒子状物質３５０（例えば発泡体ビーズ）をそれぞれ含み、内面２１４ｄに配置された積層された第１、第２、第３のケーシング３１０ｄ、３２０ｄ、３３０ｄと共に、負荷荷重の変化と共に変化する傾斜クッションを履物用品１０ｄに提供する（すなわち、荷重が大きいほど、中間クッション部材６１０、６２０が大きく圧縮して、履物１０ｄがより敏感に反応する）。例えば、ソール構造２００ｄが荷重を受けると、圧縮及び／又は移動する粒子状物質３５０が、グラウンド反発力の初期衝撃時に軟質クッションのレベルを提供し、最初の衝撃後、中間クッション部材６１０、６２０の圧縮が応答性クッションを提供することができる。さらに、ソール構造２００ｄが繰り返し圧縮するときに、ケーシング３１０ｄ、３２０ｄ、３３０ｄは協働して、それぞれ対応する量の粒子状物質３５０がソール構造２００ｄ全体にわたって移動またはシフトするのを防止する。
【００８２】
図１６〜図１８に示すように、履物用品１０ｅが提供され、アッパー１００と、アッパー１００に取り付けられたソール構造２００ｅとを含む。履物用品１０に関連する構成要素の構造および機能の実質的な類似性に基づき、履物用品１０ｅでは、同様の参照番号が同様の構成要素を識別するために、以降の図面で使用され、文字拡張子を含む同様の参照番号が、変更された構成要素を識別するために使用される。
【００８３】
ソール構造２００ｅは、層状構造に配置されたアウトソール２１０ｅおよびミッドソール２２０ｅを含み得る。アウトソール２１０ｅは、接地面２１２よりもアウトソール２１０ｅの反対側に配置された内面２１４ｅを含む。ミッドソール２２０ｅは、フットベッド２２４よりもミッドソール２２０ｅの反対側に配置された底面２２２ｅを含み、柔軟な材料から形成され得る。側壁２３０は、底面２２２ｅと内面２１４ｅとの間のキャビティ２４０ｅの境界を定める。側壁２３０は、キャビティ２４０ｅの深さを画定するために、底面２２２ｅと内面２１４ｅとを分離することができる。
【００８４】
いくつかの実施形態では、履物１０ｅの使用中に足にクッションを提供するために、それぞれが粒子状物質３５０を収容する少なくとも２層の第１のケーシンググループ３００ｅと、少なくとも２層の第２のケーシンググループ７００とが、キャビティ２４０ｅ内に設けられる。図１〜図５を参照して説明したケーシンググループ３００と同様に、各ケーシング３００ｅ、７００は、ソール構造２００ｅの長手方向軸Ｌに対して実質的に垂直に延びる厚さを有し、ソール構造２００ｅの長手方向軸Ｌに実質的に平行に延びる長さを有し、メッシュ材料および／またはナイロン材料のような可撓性材料から形成され得る。図１〜図５のアウトソール２１０のケーシンググループ３００は、アウトソール２１０ｅの長さと実質的に同じ長さを有す一方、第１のグループの各ケーシング３００ｅの長さと、第２のグループの各ケーシング７００の長さと、はいずれもアウトソール２１０ｅの長さよりも短い。しかしながら、第１、第２のケーシンググループ３００ｅ、７００は、合計の長さがアウトソール２１０ｅの長さと実質的に等しいそれぞれの長さを画定することができる。第１グループのケーシング３００ｅの長さと第２グループのケーシング７００の長さは、同じであっても異なっていてもよい。
【００８５】
図１７は、履物用品１０ｅの分解図で、アウトソール２１０ｅとミッドソール２２０ｅとの間のキャビティ２４０ｅ内に受容された、粒子状物質３５０をそれぞれ収容する第１の２層ケーシンググループ３００ｅと、第２の２層ケーシンググループ７００とを示す。第１、第２の積層ケーシンググループ３００ｅ、７００のいずれかまたは両方は、本願の範囲から逸脱することなく、３つ以上の積層ケーシングを含み得る。第１グループの積層ケーシング３００ｅは、踵部１６とアウトソール２１０ｅの中足部１４の一部に近接して配置され、第２グループの積層ケーシング７００は、前足部１２とアウトソール２１０ｅの中足部１４の異なる部分に近接して配置され得る。したがって、２層の第１のケーシンググループ３００ｅは、踵部１６と中足部１４の少なくとも一部を通って延び、２層の第２のケーシンググループ７００は、前足部１２と、第１のグループのケーシング３００ｅによって占有されていない中足部１４の少なくとも別の部分を通って延びている。
【００８６】
いくつかの例では、仕切り４５０は、アウトソール２１０ｅの内面２１４ｅからキャビティ２４０ｅ内に部分的に延び得る。仕切り４５０は、ソール構造２００ｅのキャビティ２４０ｅ内の特定の部分の間で、それぞれ第１、第２の積層ケーシンググループ３００ｅ、７００の動きを制限することができる。例えば、図１７および図１８の例は、アウトソール２１０の中足部１４に近接して配置された仕切り４５０を示す。したがって、図１８で示された方向において、第１の積層ケーシンググループ３００ｅは、仕切り４５０の左側に配置され、第２の積層ケーシンググループ７００は、仕切り４５０の右側に配置される。仕切り４５０が中足部１４に近接して配置されているように示されているが、１つ以上の他の仕切りが、追加的または代替的に、アウトソール２１０ｅの前足部１２および／または踵部１６に近接して配置されてもよい。
【００８７】
図１８は、図１６の線１８−１８で切った断面図で、アウトソール２１０ｅとミッドソール２２０ｅとの間のキャビティ２４０ｅ内に受容され、粒子状物質３５０をそれぞれ収容する第１の積層ケーシンググループ３００ｅと、粒子状物質３５０をそれぞれ収容する第２の積層ケーシンググループ７００とを示す。第１の積層ケーシンググループ３００ｅは、アウトソール２１０ｅの踵部分１６に近接して配置され、図１８で示された方向において、仕切り４５０の左側に配置され得る。第１のグループの各ケーシング３００ｅ内に設けられた粒子状物質３５０の量は、同じであっても異なっていてもよい。例えば、ケーシング３００ｅ内の厚さ及び粒子状物質３５０の密度の少なくとも一方を変化させることによって、その中の粒子状物質３５０の量を増減することができる。
【００８８】
図１８はまた、アウトソール２１０ｅの前足部１２に近接して配置された第２の積層ケーシンググループ７００を示し、図１８で示された方向において、仕切り４５０の右側に配置されている。第１の積層ケーシンググループ３００ｅと同様に、第２グループの各ケーシング７００内に設けられる粒子状物質３５０の量は、同じであっても異なっていてもよい。例えば、ケーシング７００内の厚さ及び粒子状物質３５０の密度の少なくとも一方を変化させることによって、その中の粒子状物質３５０の量を増減することができる。さらに、第１の積層ケーシンググループ３００ｅ内に設けられた粒子状物質３５０の合計と、第２の積層ケーシンググループ７００内に設けられた粒子状物質３５０の合計とは、同じであっても異なっていてもよい。例えば、踵部分１６で最初に生じるグラウンド反発力の初期衝撃のために、踵部分１６での軟質クッションのレベルを増加させることが望ましい場合がある。したがって、踵部１６に近接して配置された第１のグループの少なくとも１つのケーシング３００ｅの厚さの増加、および／または粒子状物質の密度の増大によって、より多くの量の粒子状物質３５０が踵部１６に設けられる。
【００８９】
ソール構造２００ｄの傾斜荷重負荷時に、第１、第２のグループのケーシング３００ｅ、７００のそれぞれの内部に設けられた粒子状物質３５０（例えば、発泡体ビーズ）がミッドソール２２０ｅの底面２２２ｅとアウトソール２１０ｅの内面２１４ｅとの間で圧縮するとき、ミッドソール２２０ｅはアウトソール２１０ｅに向かって並進する。ここで、第１の積層ケーシンググループ３００ｅ及び第２の積層ケーシンググループ７００は、協働して、ソール構造２００ｅの１つまたは複数の部分１２、１４、１６に、負荷荷重の変化と共に変わる傾斜クッションをもたらすことができる。例えば、履物用品１０ｅの歩行または走行中に、第１のグループのケーシング３００ｅ内に設けられた粒子状物質３５０は、踵部１６に生じるグラウンド反発力の初期衝撃に応じて最初に圧縮することができ、第２のグループのケーシング７００は、接地面２１２が踵部分１６と前足部１２との間で地面との接触のために転動するときに、続いて圧縮することができる。ミッドソール２２０ｅは、履物用品１０のミッドソール２２０を形成し、ミッドソール２２０ｅに十分な可撓性を付与する可撓性材料から形成されてもよく、それにより、ソール構造２００ｅの傾斜荷重負荷時に、ケーシング３００ｅ内に設けられた粒子状物質３５０が足の底面の特性と相互作用することを可能にする。いくつかの構成では、ミッドソール２２０ｅまたはその一部を除去して、足の底面と第１の積層ケーシンググループ３００ｅ及び／又は第２の積層ケーシンググループ７００の外壁３３８ｄとの間の直接接触が可能となる。
【００９０】
図１９〜図２１に示すように、履物用品１０ｆが提供され、アッパー１００と、アッパー１００に取り付けられたソール構造２００ｆとを含む。履物用品１０に関連する構成要素の構造および機能の実質的な類似性に基づき、履物用品１０ｆでは、同様の参照番号が同様の構成要素を識別するために以下の図面で使用され、文字の拡張子を含む類似の参照番号が、変更された構成要素を識別するために使用される。
【００９１】
ソール構造２００ｆは、層状構造に配置されたアウトソール２１０ｆおよびミッドソール２２０ｆを含み得る。アウトソール２１０ｆは、接地面２１２よりもアウトソール２１０ｆの反対側に配置された内面２１４ｆを含む。ミッドソール２２０ｆは、フットベッド２２４よりもミッドソール２２０ｆの反対側に配置された底面２２２ｆを含み、柔軟な材料から形成され得る。ソール構造２００ｆは、アッパー１００の内部空隙１０２の少なくとも一部に、足の下のフットベッド２２４ｆ上に配置されたインソール２２８ｆ（図２０および図２１）をさらに含み得る。側壁２３０は、底面２２２ｆと内面２１４ｆとの間のキャビティ２４０ｆの境界を定める。側壁２３０は、キャビティ２４０ｆの深さを画定するために、底面２２２ｆと内面２１４ｆとを分離することができる。
【００９２】
いくつかの実施形態では、履物１０ｆの使用中に足にクッションを提供するために、それぞれが粒子状物質３５０を収容する少なくとも２層のケーシングの４つのグループが、キャビティ２４０ｅ内に設けられる。例えば、少なくとも２層のケーシングの４つのグループは、第１の積層ケーシンググループ３００ｆと、第２の積層ケーシンググループ７００ｆと、第３の積層ケーシンググループ８００と、第４の積層ケーシンググループ９００とを含む。図１〜図５を参照して説明したケーシンググループ３００と同様に、各ケーシング３００ｆ、７００ｆ、８００、９００は、ソール構造２００ｆの長手方向軸Ｌに対して実質的に垂直に延びる厚さを有し、ソール構造２００ｆの長手方向軸Ｌに実質的に平行に延びる長さを有し、メッシュ材料および／またはナイロン材料などの可撓性材料から形成され得る。第１、第２、第３、第４のグループの各ケーシング３００ｆ、７００ｆ、８００、９００のそれぞれの長さは、アウトソール２１０ｆの長さよりも短い。いくつかの例では、少なくとも１つのグループのケーシング３００ｆ、７００ｆ、８００、９００の長さは異なる。他の例では、各グループのケーシング３００ｆ、７００ｆ、８００、９００の長さは、ほぼ同じである。
【００９３】
図２０及び図２１は、図１９の２０−２０線で切った断面図で、粒子状物質３５０をそれぞれ含み、アウトソール２１０ｆとミッドソール２２０ｆとの間のキャビティ２４０ｆ内に受容され、４つの２層ケーシンググループ３００ｆ、７００ｆ、８００、９００を示す。より具体的には、図２０および図２１は、ソール構造２００ｆに負荷がかかっていないとき（図２０）およびソール構造２００ｆに負荷がかかっているとき（図２０）、アウトソール２１０ｆの接地面２１２ｆを地面２に接触させた状態を示す。第１、第２、第３、第４の積層ケーシンググループ３００ｆ、７００ｆ、８００、９００のいずれか１つは、本願の範囲から逸脱することなく、３つ以上の積層ケーシングを含むことができる。ミッドソール２２０ｆは、履物用品１０のミッドソール２２０を形成し、ミッドソール２２０ｄに十分な可撓性を付与する可撓性材料から形成されてもよく、それにより、ソール構造２００ｆの傾斜荷重負荷時に、ケーシング３００ｆ、７００ｆ、８００、９００内に設けられた粒子状物質３５０が足の底面の特性と相互作用することを可能にする。いくつかの構成では、ミッドソール２２０ｆまたはその一部を除去して、足の底面と４つの２層ケーシンググループ３００ｆ、７００ｆ、８００、９００の少なくとも１つとの間の直接接触が可能となる。
【００９４】
いくつかの実施形態では、アウトソール２１０ｆは、横側面部１８と中央側面部２０との間に延在し、内面２１４ｆからミッドソール２２０ｆに向かう方向に突出する一連の溝４４２、４４４、４４６を画定する。したがって、各溝４４２、４４４、４４６は、ミッドソール２２０ｆに向かう方向に曲がって湾曲して、キャビティ２４０ｆを２つ以上の領域に分割する突出部または仕切りを形成する。これらの例は、隙間が、溝４４２、４４４、４４６の遠位端とミッドソール２２０ｆの底面２２２ｆとを分離するように、キャビティ２４０ｆ内で終端する溝４４２、４４４、４４６を示す。逆に、他の構成は、溝４４２、４４４、４４６のうちの１つ以上を含み、底面２２２ｆとの接触点で終端する。一方の溝４４２は前足部１２に近接して配置され、もう一方の溝４４４は中足部１４に近接して配置され、他方の溝４４６はアウトソール２１０ｆの踵部１６に近接して配置される。
【００９５】
いくつかの構成では、図２０および図２１で示された方向において、爪先領域１９００が溝４４２の右側に形成され、前足領域１９０２が溝４４２と４４４との間に形成され、中足領域１９０４が溝４４４と４４６の間に形成され、踵領域１９０６が溝４４６の左側に形成されている。第１の積層ケーシンググループ３００ｆは踵領域１９０６内に配置され、第２の積層ケーシンググループ７００ｆは中足領域１９０４内に配置され、第３の積層ケーシンググループ８００は前足領域１９０２内に配置され、第４の積層ケーシンググループ９００は爪先領域１９００内に配置され得る。それぞれの積層ケーシンググループ３００ｆ、７００ｆ、８００、９００に対応する各領域１９００〜１９０６を形成することに加えて、ソール構造２００ｆが傾斜荷重負荷の下で圧縮する時、複数の溝４４２、４４４、４４６は、ケーシング３００ｆ、７００ｆ、８００、９００が隣接する領域１９００〜１９０６の間で移動またはシフトすることを制限することができる。
【００９６】
いくつかの例では、溝４４２、４４４、４４６は、対応する屈曲領域を形成するように可撓性であり、歩行中、走行中、ジャンプ中などのソール構造２００ｆが負荷を受けている時に、アウトソール２１０ｆの収縮、屈曲、それ以外の変形する能力を高める。例えば、図２１は、歩行中、走行中、ジャンプ中などのソール構造２００ｆが負荷を受けている時、地面２から放れ、溝４４４を中心として溝４４４が収縮してソール構造２００ｆの中足部１４および踵部１６を屈曲させる溝４４４を示している。この例では、溝４４６は、踵領域１９０６に配置された第１の積層ケーシンググループ３００ｆが隣接する中足領域１９０４にシフトまたは移動するのを防止し、溝４４４は、中足領域１９０４に配置された第２の積層ケーシンググループ７００ｆが隣接する前足領域１９０２にシフトまたは移動するのを防止する。
【００９７】
ソール構造２００ｆの傾斜荷重負荷時に、第１、第２、第３、第４のグループのケーシング３００ｆ、７００ｆ、８００、９００のそれぞれの内部に設けられた粒子状物質３５０（例えば、発泡体ビーズ）がミッドソール２２０ｆの底面２２２ｆとアウトソール２１０ｆの内面２１４ｆとの間で圧縮するとき、ミッドソール２２０ｆはアウトソール２１０ｆに向かって並進する。ここで、積層ケーシングの各グループ３００ｆ、７００ｆ、８００、９００は、協働して、ソール構造２００ｅの１つまたは複数の領域１９００〜１９０６に、負荷荷重の変化と共に変わる傾斜クッションをもたらすことができる。例えば、履物用品１０ｆの歩行または走行中に、第１のグループのケーシング３００ｆ内に設けられた粒子状物質３５０は、踵領域１９０６に生じるグラウンド反発力の初期衝撃に応じて最初に圧縮することができ、これに続き、踵部１６と前足部１２との間で接地面２１２ｆが地面２との接触のために転動する際に、ソール構造２００ｆの傾斜荷重負荷時に、各ケーシング７００ｆ、８００、９００内に設けられる粒子状物質３５０が順次圧縮して流体性クッションをもたらす。各ケーシング３００ｆ、７００ｆ、８００、９００内の粒子状物質３５０の圧縮によって提供される軟質クッションに加えて、溝４４２、４４４、４４６は、ソール構造２００ｆが圧縮する際に応答性クッションをもたらす剛性を有する。
【００９８】
図２２および図２３に示すように、履物用品１０ｇが提供され、アッパー１００と、アッパー１００に取り付けられたソール構造２００ｇとを含む。履物用品１０に関連する構成要素の構造および機能の実質的な類似性に基づき、履物用品１０ｇでは、以下の図面において同様の構成要素を識別するために使用され、文字の拡張子を含む同様の参照番号が、変更された構成要素を識別するために使用される。
【００９９】
ソール構造２００ｇは、アウトソール２１０ｇと、アウトソール２１０ｇの周囲から延びてアッパー１００に取り付ける側壁２３０ｇと、を含み得る。アウトソール２１０ｇは、内面２１４と、内面２１４よりもアウトソール２１０ｇの反対側に配置された接地面２１２と、を含む。図１〜図５に示す履物用品１０の構成とは反対に、履物用品１０ｇはミッドソールを含まない。代わりに、履物用品１０ｇは、側壁２３０ｇの内面とアウトソール２１０ｇの内面２１４とによって境界を定められたキャビティ２４０ｇを含む。内面２１４から延在する側壁２３０ｇの長さは、キャビティ２４０ｇの深さを画定することができる。図１〜図５のソール構造２００のキャビティ２４０の深さと比較して、ソール構造２００ｇのキャビティ２４０ｇは、ミッドソール２２０またはシュトローベル（stroble）が存在しないので、より大きな深さを含み得る。
【０１００】
いくつかの実施例では、それぞれが粒子状物質３５０を収容する少なくとも２層のケーシンググループ３００がキャビティ２４０ｇ内に設けられ、履物１０ｇの使用中に足に対しクッションを提供する。図２３は、図２２の線２３−２３で切った断面図で、アウトソール２１０ｇの内面２１４のキャビティ２４０ｇ内に受容され、各々が粒子状物質３５０を収容する２層のケーシンググループ３００を示す。少なくとも２層のケーシンググループ３００は、図１〜図５の履物用品１０を参照して上述したように、第１、第２のケーシング３１０、３２０をそれぞれ含む。他の構成では、３層以上のケーシングが、本願の範囲から逸脱することなく、アウトソール２１０ｇの内面２１４上に配置され得る。
【０１０１】
第１のケーシング３１０は、内面２１４のトップ上に対向して配置され、第２のケーシング３２０は、内面２１４とは反対側の第１のケーシング３１０のトップ上に対向して配置され得る。図１〜図５のソール構造２００に比べ、第２のケーシング３２０は、ミッドソール２２０またはシュトローベル（stroble）が存在しないとき、第１のケーシング３１０と足の底面との間に配置される。例えば、図２３は、第１のケーシング３１０の外壁３１８がアウトソール２１０ａの内面２１４と第２のケーシング３２０の外壁３２８の両方と接触するように、積層構造に積み重ねられたケーシング３１０、３２０を示す。履物用品１０ｇの使用時に、第２のケーシング３２０が、第１のケーシング３１０と足の底面との間に配置されるように、第２のケーシング３２０の外壁３２８は、第１のケーシング３１０の反対側で、足の底面と直接に接触し得る。いくつかの例では、足の底面と第２のケーシング３２０の外壁３２８との間に可撓性インソール（図示せず）が置かれてもよい。インソールが利用されない場合、履物用品１０ｇの使用時に、外壁３２８はユーザの足を直接受け入れる足受容面を形成する。
【０１０２】
図２４および図２５に示すように、履物用品１０ｈが提供され、アッパー１００と、アッパー１００に取り付けられたソール構造２００ｈを含む。履物用品１０に関連する構成要素の構造および機能の実質的な類似性に基づき、履物用品１０ｈは、同様の参照符号が類似の構成要素を識別するために以下の図面で使用され、文字の拡張子を含む同様の参照番号が、変更された構成要素を識別するために使用される。
【０１０３】
ソール構造２００ｈは、層状構造に配置されたアウトソール２１０ｈおよびミッドソール２２０ｈを含み得る。アウトソール２１０ｈは、接地面２１２よりもアウトソール２１０ｈの反対側に配置された内面２１４ｈを含む。ミッドソール２２０ｈは、履物用品１０のミッドソール２２０を形成する可撓性材料から形成されてもよく、フットベッド２２４よりもミッドソール２２０ｈの反対側に配置された底面２２２ｈを含む。側壁２３０は、底面２２２ｈと内面２１４ｈとの間のキャビティ２４０ｈの境界を定める。側壁２３０は、キャビティ２４０ｈの深さを画定するために、底面２２２ｈと内面２１４ｈとを分離することができる。
【０１０４】
いくつかの構成では、各々が粒子状物質３５０を収容する少なくとも２層のケーシンググループ３１０ｈ、３２０ｈが、アウトソール２１０ｈとミッドソール２２０ｈとの間のキャビティ２４０ｈ内に位置する底クッション部材５００ｈに配置される。少なくとも２層のケーシング３１０ｈ、３２０ｈは、図１〜図５を参照しつつ上述した第１、第２のケーシング３１０、３２０とそれぞれ実質的に同一であるが、ケーシング３１０ｈ、３２０ｈのみは、ソール構造２００ｈの前足部１２および中足部１４を通って延びていることを除外する。
【０１０５】
他の構成では、本願の範囲から逸脱することなく、３層以上のケーシングが底クッション部材５００ｈ上に配置されてもよい。いくつかの実施形態では、底クッション部材５００ｈは、前足部１２および中足部１６を通ってキャビティ２４０ｃ内に延びる一連の突出部５０２を画定する第１の部分と、踵部１６のキャビティ２４０ｈを実質的に充填するスラブ５０４を画定する第２の部分と、を含む。突出部５０２は、アウトソール２００ｈの前足部１２および中足部１４を通って延在していることのみを除いて、図１１〜図１３を参照しつつ上述した突出部５００ｃと実質的に同一である。クッション部材５００ｈの突出部５０２およびスラブ５０４の部分は協働して、履物の１０ｈの使用時に、キャビティ２４０ｈ内に設けられた第１、第２の積層ケーシング３１０ｈ、３２０ｈのそれぞれの動きを支持および制限すると共に、足にクッションを提供する。突出部５０２およびスラブ５０４は、エチル・ビニル・アセテートまたはポリウレタンなどの１つまたは複数のポリマー発泡体材料から形成され、荷重負荷時にグラウンド反発力を減衰させるための弾性圧縮性をもたらす。
【０１０６】
図２５は、図２４の線２５−２５で切った断面図で、アウトソール２１０ｈの内面２１４ｈからミッドソール２２０ｈの底面２２２ｈに向かう方向に、前足部１２および中足部１４を通って延びる突出部５０２を示す。スラブ５０４は、底面２２２ｈと内面２１４ｈとの間のキャビティ２４０ｈの深さを占めることができる。これらの実施例では、各々が粒子状物質３５０を収容する積層ケーシング３１０ｈ、３２０ｈは、スラブ５０４、突出部５０２、およびミッドソール２２０ｈの底面２２２ｈによって境界が定められ得る。例えば、第１のケーシング３１０ｈは、突出部５０２の遠位端のトップに対向して積み重ねられ、第２のケーシング３２０ｈは、突出部５０２とは反対側の第１のケーシング３１０ｈのトップに対向して積み重ねられ得る。いくつかの例では、突出部５０２は、反復する列状に配置され、各突出部５０２は、隣接する突出部５０２から等間隔に離間されている。他の例では、突出部５０２は、交互の反復する列状に配置される。
【０１０７】
図２５は、第１、第２の積層ケーシング３１０ｈ、３２０ｈをそれぞれ支持する突出部５０２を示し、ソール構造２００ｈが荷重を受けずに静止している時に、突出部５０２はミッドソール２２０ｈから離間している。例えば、第１ケーシング３１０ｈの外壁３１８ｈは、突出部５０２と接触していてもよく、突出部５０２とは反対側の第２ケーシング３２０ｈの外壁３２８ｈと接触していてもよい。第２ケーシング３１０ｈの外壁３２８ｈは、第１ケーシング３１０ｈの反対側で、ミッドソール２２０ｈの底面２２２ｈと接触していてもよい。いくつかの構成では、ミッドソール２２０ｈまたはその一部を除去し、足の底面と第２のケーシング３２０ｈの外壁３２８ｈとの間の直接接触をもたらすことができる。この構成において、外壁３２８ｈは、履物用品１０ｈの使用時に足を直接受け入れる足受容面を画定する。いくつかの例では、多数の粒子状物質３５０がケーシング３１０ｈ、３２０ｈのそれぞれに僅かに過充填（例えば、詰込み）され、対応する外壁３１８ｈ、３２８ｈを外側に膨張させる。そうすると、ソール構造２００ｈが組み立てられたときに、多数の粒子状物質３５０はわずかに圧縮される。第１のケーシング３１０ｈは、隣接する突出部５０２によって画定された谷内にわずかに適合し、少なくとも部分的に入れ子状になる。
【０１０８】
ソール構造２００ｈの傾斜荷重負荷時に、各ケーシング３１０ｈ、３２０ｈ内に設けられた粒子状物質３５０がミッドソール２２０ｃと突出部５０２との間で圧縮し、スラブ５０４がミッドソール２２０ｈとアウトソール２１０ｈとの間の踵部１６で圧縮するとき、ミッドソール２２０ｈはアウトソール２１０ｈに向かって並進する。ここで、第１、第２の積層ケーシング３１０ｈ、３２０ｈ内の粒子状物質３５０が圧縮されて、突出部５０２も圧縮され、ソール構造２００ｈに加わる荷重が増加する。上述したように、粒子状物質３５０の圧縮は軟質クッション性をもたらす一方、クッション部材５００ｈの突出部５０２および／またはスラブ５０４の圧縮は、応答性クッションをもたらすことができる。したがって、それぞれのケーシング３１０ｈ、３２０ｈ内に設けられた突出部５０２、スラブ５０４、および粒子状物質３５０は協働して、負荷荷重の変化に伴い変わる傾斜クッションを履物用品１０ｈにもたらすことができる（すなわち、より多くの突出部５０２および／またはスラブ５０４の部分が圧縮されるほど、履物１０ｈがより敏感に反応する）。
【０１０９】
図２６および図２７に示すように、履物用品１０ｉが提供され、アッパー１００と、アッパー１００に取り付けられたソール構造２００ｉとを含む。履物用品１０に関連する構成要素の構造および機能の実質的な類似性に基づき、履物用品１０ｉでは、同様の参照番号が類似の構成要素を識別するために、以降の図面において使用され、文字拡張を含む同様の参照番号が、変更された構成要素を識別するために使用される。
【０１１０】
ソール構造２００ｉは、層状構造に配置されたアウトソール２１０ｉおよびミッドソール２２０ｉを含み得る。アウトソール２１０ｉは、接地面２１２よりもアウトソール２１０ｉの反対側に配置された内面２１４ｉを含む。ミッドソール２２０ｉは、履物用品１０のミッドソール２２０を形成する可撓性材料から形成されてもよく、フットベッド２２４よりもミッドソール２２０ｉの反対側に配置された底面２２２ｉを含む。側壁２３０は、底面２２２ｉと内面２１４ｉとの間のキャビティ２４０ｉの境界を定める。側壁２３０は、キャビティ２４０ｉの深さを画定するために、底面２２２ｉと内面２１４ｉとを分離することができる。
【０１１１】
いくつかの実施形態では、履物１０ｇの使用中に、キャビティ２４０ｉ内に設けられた、クッション部材５００ｉと、それぞれが粒子状物質３５０を収容する少なくとも２層のケーシンググループ３１０ｉ、３２０ｉとが、足にクッションを提供する。図２７は、図２６の線２７−２７で切った断面図で、アウトソール２１０ｉの内面２１４ｉ上のキャビティ２４０ｉ内に受容された、粒子状物質３５０をそれぞれ収容する積層ケーシング３１０ｉ、３２０ｉと、クッション部材５００ｉとを示す。図１〜図５の履物用品１０が、前足部１２、中足部１４、および踵部１６をそれぞれ通って延びる第１のケーシング３１０および第２のケーシング３２０を含むように、履物用品１０ｉの積層ケーシング３１０ｉ、３２０ｉは、前足部および中足部１４の一部を通って延び、クッション部材５００ｉがキャビティ５００ｉの残りの部分を占める。他の構成では、３層以上のケーシングが、本願の範囲から逸脱することなく、アウトソール２１０ｉの内面２１４ｉ上に配置されてもよい。
【０１１２】
第１のケーシング３１０ｉは、内面２１４ｉの上に対向して配置され、第２のケーシング３２０ｉは、内面２１４ｉとは反対側の第１のケーシング３１０ｉの上に対向して配置され得る。特に、第１のケーシング３１０の外壁３１８ｉが第２のケーシング３２０ｉの内面２１４ｉおよび外壁３２８ｉの両方に接するように、ケーシング３１０ｉ、３２０ｉは、積層構成で形成され得る。第２のケーシング３２０ｉの外壁３２８ｉは、ミッドソール２２０ｉの底面２２２ｉと接触することができる。いくつかの構成では、履物用品１０ｉの使用時に、外壁３２８ｉはユーザの足を直接受け入れる足受容面を形成するように、ミッドソール２２０ｉまたはその一部を除去し、足の底面と第２のケーシング３２０ｉの外壁３２８ｉとの間で直接接触をもたらす。クッション部材５００ｉは、積層ケーシング３１０ｉ、３２０ｉによって占められていない、踵部１６と中足部１４の残りの部分とを通るキャビティ２４０ｉの深さを占めるポリマー発泡体スラブを含むことができる。この実施形態では、粒子状物質３５０をそれぞれ収容する積層ケーシング３１０ｉ、３２０ｉは、クッション部材５００ｉによって境界を定められ得る。いくつかの実施例では、ケーシング３１０ｉ、３２０ｉの第１の端部３１２ｉ、３２２ｉに対向するクッション部材５００ｉの端部は、第２のケーシング３２０ｉの外壁３１８ｉの一部がその上に入れ子状になることを許容する傾斜面５１０を含み得る。したがって、第１の端部３１２ｉと第２の端部３１４ｉとの間の第１のケーシング３１０ｉの長さは、第１の端部３２２ｉと第２の端部３２４ｉとの間の第２のケーシング３２０ｉの長さより小さくてもよい。
【０１１３】
ソール構造２００ｉの傾斜荷重負荷時に、各ケーシング３１０ｉ、３２０ｉ内に設けられた粒子状物質３５０がミッドソール２２０ｉとアウトソール２１０ｉとの間で圧縮し、クッション部材５００ｉ（例えば、ポリマー発泡体スラブ）が、ミッドソール２２０ｉとアウトソール２１０ｉとの間の踵部分１６で圧縮するとき、ミッドソール２２０ｉはアウトソール２１０ｉに向かって並進する。上述したように、粒子状物質３５０による圧縮は、軟質クッションをもたらす一方、クッション部材５００ｉによる圧縮は、応答性タイプのクッションをもたらし得る。したがって、クッション部材５００ｉと、それぞれのケーシング３１０ｉ、３２０ｉ内に設けられた粒子状物質３５０とは協働して、負荷荷重の変化に伴い変わる傾斜クッションを履物用品１０ｉにもたらすことができる（すなわち、踵部１６のグラウンド反発力によってクッション部材５００ｉが圧縮されて応答性クッションが提供される一方で、グラウンド反発力の前足部１２への伝達によって粒子状物質３５０が圧縮されて軟質クッションが提供される。
【０１１４】
図２８〜図３０に示すように、履物用品１０ｊが提供され、アッパー１００と、アッパー１００に取り付けられたソール構造２００ｊとを含む。履物用品１０に関連する構成要素の構造および機能の実質的な類似性に基づき、履物用品１０ｊでは、同様の参照番号が同様の構成要素を識別するために以下の図面で使用され、文字拡張子を含む同様の参照番号が、変更された構成要素を識別するために使用される。
【０１１５】
ソール構造２００ｊは、層状構造に配置されたアウトソール２１０ｊおよびミッドソール（図示せず）を含み得る。アウトソール２１０ｊは、接地面２１２よりもアウトソール２１０ｊの反対側に配置された内面２１４ｊを含む。ミッドソールは、履物用品１０のミッドソール２２０を形成する可撓性材料から形成されてもよい。側壁２３０は、ミッドソールと内面２１４ｊとの間のキャビティ２４０ｊの境界を定める。側壁２３０は、履物用品１０に関して上述したのと同様に、キャビティ２４０ｊの深さを画定するために、ミッドソールと内面２１４ｊとを分離することができる。
【０１１６】
いくつかの実施形態では、それぞれが粒子状物質３５０を収容する少なくとも２層のケーシンググループ３１０ｊ、３２０ｊが、キャビティ２４０ｊ内に設けられ、履物１０ｊの使用中に足に対しクッションを提供する。図２９は、図２８のソール構造２００ｊの上面図で、ミッドソールが省略されている。図２９は、中央側面部２０の側壁２３０から延び、横側面部１８の側壁２３０の前で終端する第１ケーシング３１０ｊを示す。一方、第２のケーシング３２０ｊは、横側面部１８の側壁２３０から延び、中央側面部２０の側壁２３０の前で終端する。第１のケーシング３１０ｊは、キャビティ２４０ｊの内部領域内の第２ケーシング３２０ｊの一部に重なるかまたは積層されて、第１ケーシング３１０ｊおよび第２ケーシング３２０ｊが協働して、キャビティ２４０ｊを実質的に充たす。したがって、履物１０ｊの横側面部１８は、第２のケーシング３２０ｊに設けられた粒子状物質３５０によってもたらされる軟質クッションと関連し、履物１０ｊの中央側面部２０は、第１のケーシング３１０ｊに設けられた粒子状物質によってもたらされる軟質クッショと関連する。粒子状物質３５０の密度は、ケーシング３１０ｊ、３２０ｊのそれぞれ内で変化してもよく、または同じであってもよく、横側面部１８および中央側面部２０におけるソール構造２００ｊの応答性を調律または調整することができる。
【０１１７】
図３０は、図２９の線３０−３０で切った断面図で、キャビティ２４０ｊ内に設けられ、それぞれが、粒子状物質３５０のそれぞれの量を含む第１のケーシング３１０ｊおよび第２のケーシング３２０ｊを示している。ここで、ケーシング３１０ｊ、３２０ｊは、第１のケーシング３１０ｊのテーパー面が第２のケーシング３２０ｊの対応するテーパー面に合うように互いに噛み合う略くさび形の断面を有し、キャビティ２４０ｊを実質的に充填する。第１のケーシング３１０ｊは、中央側面部２０ｊに近接して内面２１４ｊの上に対向して配置され、第２のケーシング３２０ｊは、内面２１４ｊの残りの部分の上に、横側面部１８に近接して配置されてもよい。図３０は、履物１０ｊの中央側面部２０から横側面部１８に向かって減少する体積を画定するくさび形の第１のケーシング３１０ｊを示す。例えば、第１のケーシング３１０ｊの外壁３１８ｊおよび内壁３１９ｊは、キャビティ２４０ｊを内面２１４ｊからミッドソールに向かってテーパー状にする。これとは対照的に、くさび形の第２のケーシング３２０ｊは、履物１０ｊの中央側面部２０から横側面部１８に向かって増加する容積を画定する。例えば、第２のケーシング３２０ｊの外壁３２８ｊおよび内壁３２９ｊは、第１のケーシング３１０ｊの壁３１８ｊ、３１９ｊがキャビティ２４０ｊ内でテーパーし始める所で、ミッドソールから内面２１４ｊまでのキャビティ２４０ｊ内でテーパーを形成する。ケーシング３１０ｊ、３２０ｊのテーパー面は、第１のケーシング３１０ｊと第２のケーシング３２０ｊとの相対的な移動が規制されている。すなわち、第１のケーシング３１０ｊは、ケーシング３１０ｊ、３２０ｊのテーパー壁で第２ケーシング３２０ｊと係合し、お互いの相対移動を制限している。
【０１１８】
各ケーシング３１０ｊ、３２０ｊによって規定される容積は、同じであっても異なっていてもよい。図３３は、アウトソール２１０ｊの内面２１４ｊに沿って、また、ミッドソール（図示せず）に近接するキャビティ２４０ｋの上部に沿って、互いに実質的に同一線上に延びる外壁３１８ｊ、３２８ｊを示す。ケーシング３１０ｊ、３２０ｊのお互いの相対移動を防止することに加えて、部分的に積重ねられたケーシング３１０ｊ、３２０ｊのくさび形断面は、各ケーシング３１０ｊ、３２０ｊ内に設けられた関連する量の粒子状物質３５０の移動を制限し得る。
【０１１９】
ソール構造２００ｊの傾斜荷重負荷時に、１つ又は両方のケーシング３１０ｊ、３２０ｊ内に設けられた粒子状物質３５０がミッドソールとアウトソール２１０ｊとの間で圧縮するとき、ミッドソールはアウトソール２１０ｊに向かって並進する。例えば、履物１０ｊの横側面部１８に向かうグラウンド反発力は、第２のケーシング３２０ｊに設けられた粒子状物質３５０を主に圧縮し得る。逆に、中央側面部２０に加えられるグラウンド反発力は、第１のケーシング３１０ｊに設けられた粒子状物質３５０を主に圧縮する。ケーシング３１０ｊ、３２０ｊに実質的に垂直に加えられた力は、各ケーシング３１０ｊ、３２０ｊ内に配置された粒子状物質３５０を等しく圧縮することができる。
【０１２０】
図３１〜３３に示すように、履物用品１０ｋが提供され、アッパー１００と、アッパー１００に取り付けられたソール構造２００ｋとを含む。履物用品１０に関連する構成要素の構造および機能の実質的な類似性に基づき、履物用品１０ｋでは、同様の参照符号が同様の構成要素を識別するために、以降の図面で使用され、文字拡張子を含む同様の参照番号が、変更された構成要素を識別するために使用される。
【０１２１】
ソール構造２００ｋは、層状構造に配置されたアウトソール２１０ｋおよびミッドソール（図示せず）を含み得る。アウトソール２１０ｋは、接地面２１２よりもアウトソール２１０ｋの反対側に配置された内面２１４ｋを含む。ミッドソールは、履物用品１０のミッドソール２２０を形成する可撓性材料から形成されてもよい。側壁２３０は、ミッドソールと内面２１４ｋとの間のキャビティ２４０ｋの境界を定める。側壁２３０は、履物用品１０に関して上述したのと同様に、キャビティ２４０ｋの深さを画定するために、ミッドソールと内面２１４ｋとを分離することができる。
【０１２２】
いくつかの実施形態では、それぞれが粒子状物質３５０を収容する少なくとも２層のケーシング３１０ｋ、３２０ｋのグループが、キャビティ２４０ｋに設けられ、履物１０ｋの使用時に足に対しクッションを提供する。図３２は、図３１のソール構造２００ｋの上面図で、ミッドソールが省略されている。図３２は、側壁２３０の横側面部１８と中央側面部２０との間でアウトソール２１０ｋの内面２１４ｋに受容され、前足部１２、中足部１４および踵部１６をそれぞれ通って延びる、第１のケーシング３１０ｋを示す。第２のケーシング３２０ｋは、踵部１６において第１ケーシング３１０ｋ上に積み重ねられ得る。第１のケーシング３１０ｋと第２のケーシング３２０ｋとは協働し、踵部１６においてキャビティ２４０ｋを実質的に占有する一方、第１のケーシング３１０ｋは、キャビティ２４０ｋの残りの容積を実質的に占有することができる。
【０１２３】
図３３は、図３２の線３３−３３で切った断面図で、キャビティ２４０ｋ内に設けられ、それぞれが、それぞれの量の粒子状物質３５０を収容する第１のケーシング３１０ｋおよび第２のケーシング３２０ｋを示す。第１のケーシング３１０ｋの内壁３１９ｋと、第２のケーシング３２０ｋの内壁３２９ｋとは、それぞれの粒子状物質３５０の量を制限している。ここで、ケーシング３１０ｊ、３２０ｊは、第２ケーシング３２０ｋを受容する入れ子空隙(nesting void)を画定し、互いに噛み合う実質的にくさび形の断面を含む。このように、第２のケーシング３２０ｋは、第１のケーシング３１０ｋとの間の相対運動を制限するために、第１ケーシング３１０ｋと入れ子になっている。第１のケーシング３１０ｋの外壁３１８ｋは、アウトソール２１０ｋの内面２１４ｋと、第２のケーシング３２０ｋの外壁３２８ｋと、横側面部１８および中央側面部２０の側壁２３０に近接したミッドソール（図示せず）の複数の部分と、に接触している。第２のケーシング３２０ｋの外壁３２８ｋは、第１ケーシング３１０ｋの外壁３１８ｋと接触するミッドソールの複数の部分の間のミッドソールの残りの部分と接触している。
【０１２４】
図３３は、第１のケーシング３１０ｋの外壁３１８ｋを示しており、第２のケーシング３２０ｋを収容する入れ子空隙を画定するように互いに向かって収斂する中央テーパー面３１１および横中央面３１３を画定する。いくつかの例では、中央テーパー面３１１は、中央側面部２０において側壁２３０から内側に間隔を空けた位置からキャビティ２４０ｋ内に先細りし、横テーパー面３１３は、側壁２３０から内側に間隔を置いた位置からキャビティ２４０ｋ内に先細りになる。中央テーパー面３１１および横テーパー面３１３は、アウトソール２１０ｋの内面２１４ｋに近接し、横側面部１８と中央側面部２０との間の実質的中心に位置する場所で、キャビティ２４０ｋ内で互いに収束することができる。縫合部２２７は収束点で、テーパー面３１１、３１３を共に固定することができる。第２のケーシング３２０ｋの外壁３２８ｋによって画定された対応するテーパー面３２１、３２３が、第１のケーシング３１０ｋの対応するテーパー面３１１、３１３と整列して接触するように、第１のケーシング３１０ｋのテーパー面３１１、３１３は、協働して入れ子空隙を画定する。したがって、第２のケーシング３２０ｋは、側壁２３０から内方に間隔を空けて配置された踵部１６の内側領域において、キャビティ２４０ｋ内で第１のケーシング３１０ｋと入れ子になり得る。第２のケーシング３２０ｋを受容する入れ子空隙を画定することに加えて、テーパー面３１１、３１３は、横側面部１８および中央側面部２０における側壁２３０から離れると第１のケーシング３１０ｋの容量を減少させる。このような容量の減少が、第１のケーシング３１０ｋ内に設けられた粒子状物質３５０の横側面部１８および中央側面部２０の間の移動を防止することができる。
【０１２５】
履物１０ｋの踵部分１６に生じるグラウンド反発力は、ソール構造２００ｋの傾斜荷重負荷時に、各ケーシング３１０ｋ、３２０ｋ内に設けられた粒子状物質３５０を圧縮させる。粒子状物質３５０の密度および／または種類は、踵領域１６に所望の軟質クッションを提供するために、ケーシング３１０ｋ、３２０ｋのそれぞれで変化してもよく、または同じであってもよい。例えば、第２のケーシング３２０ｋ内に配置された粒子状物質３５０の密度およびタイプの少なくとも１つが第１のケーシングの３１０ｋのそれと異なるように、第２のケーシング３２０ｋ内に配置された粒子状物質３５０の密度および／またはタイプを調整することによって、踵部１６でのクッションを特定の使用や行動のために調整するこができる。
【０１２６】
ケーシング３１０ｋ、３２０ｋは、踵部１６の繰り返し圧縮時に、協働して、ケーシング３１０ｋ、３２０ｋ内の粒子状物質３５０の自由な動きを制限することができる。すなわち、第２のケーシング３２０ｋ内に配置された粒子状物質３５０は、踵部１６に閉じ込められているように、第２のケーシング３２０ｋが第１のケーシング３１０ｋに囲まれ、第２のケーシング３２０ｋに閉じ込められているので、移動が制限されている。さらに、第１のケーシング３１０ｋ内に配置された粒子状物質３５０は、第２のケーシング３２０ｋの領域内の第１のケーシング３１０ｋの形状の大部分によって同様に制限されている。これによって、第１ケーシング３１０ｋ内に配置された粒子状物質３５０と、第２ケーシング３２０ｋ内に配置された粒子状物質３５０とは、踵部１６から前足部１２に向かって自由に移動することができない。
【０１２７】
以下の条項は、上述した履物用品のソール構造の例示的な構成を提供する。
【０１２８】
第１項：アッパーと、前記アッパーに取り付けられたミッドソールであって、フットベッドと前記フットベッドの反対側の当該ミッドソールに配置された底面とを含むミッドソールと、アウトソールであって、接地面と、前記接地面の反対側の当該アウトソールに配置された内面と、前記接地面から延びて当該アウトソールを囲む壁と、を含むアウトソールと、それぞれが粒子状物質を収容し、前記アウトソールの長手方向軸に対して実質的に垂直に延びる厚さを有する少なくとも２つのケーシングであって、前記底面と前記内面との間で、前記アウトソールの壁によって境界が定まったキャビティ内に受容されて層状構成に形成された少なくとも２つのケーシングと、を含むことを特徴とする履物用品。
【０１２９】
第２項：前記少なくとも２つのケーシングが略同じ量の前記粒子状物質を含むことを特徴とする第１項に記載の履物用品。
【０１３０】
第３項：前記少なくとも２つのケーシングが異なる量の前記粒子状物質を含むことを特徴とする第１項に記載の履物用品。
【０１３１】
第４項：少なくとも１つの前記ケーシングの複数の壁が共に固定され、多数の粒子状物質をそれぞれ収容する少なくとも２つのセグメントを画定していることを特徴とする第１〜３項のいずれか一項に記載の履物用品。
【０１３２】
第５項：前記少なくとも２つのセグメントが略同じ量の前記粒子状物質を含むことを特徴とする第４項に記載の履物用品。
【０１３３】
第６項：前記少なくとも２つのセグメントが異なる量の前記粒子状物質を含むことを特徴とする第４項に記載の履物用品。
【０１３４】
第７項：前記少なくとも２つのケーシングの厚さが異なることを特徴とする第１項に記載の履物用品。
【０１３５】
第８項：前記少なくとも２つのケーシングの厚さが略同じであることを特徴とする第１項に記載の履物用品。
【０１３６】
第９項：前記少なくとも２つのケーシングのうちの少なくとも１つが可撓性材料から形成されていることを特徴とする第１〜８項のいずれか一項に記載の履物用品。
【０１３７】
第１０項：前記少なくとも２つのケーシングのうちの少なくとも１つがメッシュ材料から形成されていることを特徴とする第１〜９項のいずれか一項に記載の履物用品。
【０１３８】
第１１項：前記少なくとも２つのケーシングのうちの少なくとも１つがナイロン材料で形成されていることを特徴とする第１〜１０項のいずれか一項に記載の履物用品。
【０１３９】
第１２項：前記粒子状物質が発泡体ビーズを含むことを特徴とする第１〜１１項のいずれか一項に記載の履物用品。
【０１４０】
第１３項：前記発泡体ビーズが実質的に球形の形状を含むことを特徴とする第１２項に記載の履物用品。 
【０１４１】
第１４項：前記発泡体ビーズが実質的に多角形の形状を含むことを特徴とする第１２項に記載の履物用品。 
【０１４２】
第１５項：前記発泡体ビーズが略同じ大きさ及び形状を含むことを特徴とする第１２項に記載の履物用品。 
【０１４３】
第１６項：前記発泡体ビーズが異なる大きさ及び形状の少なくとも１つを含むことを特徴とする第１２項に記載の履物用品。 
【０１４４】
第１７項：前記少なくとも２つのケーシングのそれぞれにおいて、前記発泡体ビーズの大きさ及び形状が略同じであることを特徴とする第１２項に記載の履物用品。 
【０１４５】
第１８項：前記少なくとも２つのケーシングの少なくとも１つにおいて、前記発泡体ビーズの大きさ及び形状の少なくとも１つが異なることを特徴とする第１２項に記載の履物用品。
【０１４６】
第１９項：前記アウトソールの前記内面と前記少なくとも２つのケーシングとの間に前記キャビティ内に設けられた底クッション部材をさらに含むことを特徴とする第１〜１８項のいずれか一項に記載の履物用品。
【０１４７】
第２０項：前記底クッション部材がポリマー発泡体を含むことを特徴とする第１９項に記載の履物用品。 
【０１４８】
第２１項：前記底クッション部材が流体充填チャンバを含むことを特徴とする第１９項に記載の履物用品。
【０１４９】
第２２項：前記底クッション部材が、前記アウトソールの前記内面から前記ミッドソールの前記底面に向かう方向に延びる一連の突出部であって、当該一連の突出部が前記底面から離間していることを特徴とする第１９項に記載の履物用品。 
【０１５０】
第２３項：前記少なくとも２つのケーシングの間に配置された中間クッション部材をさらに含むことを特徴とする第１〜２２項のいずれか一項に記載の履物用品。 
【０１５１】
第２４項：前記少なくとも２つのケーシングが、前記アウトソールの長さに実質的に等しい長さを有することを特徴とする第１〜２３項のいずれか一項に記載の履物用品。 
【０１５２】
第２５項：前記少なくとも２つのケーシングが、前記アウトソールの長さよりも短い長さを有することを特徴とする第１項に記載の履物用品。 
【０１５３】
第２６項：前記少なくとも２つのケーシングは、第１のケーシング、第２のケーシング、第３のケーシング、及び第４のケーシングを含み、前記第１のケーシング及び前記第２のケーシングは、前記アウトソールの踵部に近接して配置され、前記第３のケーシング及び前記第４のケーシングは、前記アウトソールの前足部及び中足部の少なくとも１つに近接して配置されていることを特徴とする第２５項に記載の履物用品。 
【０１５４】
第２７項：アッパーと、前記アッパーに取り付けられたアウトソールであって、接地面と、前記接地面の反対側の当該アウトソールに配置された内面と、前記接地面から延びて当該アウトソールを囲む壁と、を含むアウトソールと、フットベッドと前記フットベッドの反対側に配置された底面とを含むミッドソールであって、前記アウトソールの壁によってその中に境界が定まったキャビティを画定するように前記アウトソールの前記内面と対向するミッドソールと、粒子状物質を収容する第１のケーシングであって、前記アウトソールの前記内面に対向し、前記キャビティ内に受容された第１のケーシングと、粒子状物質を収容する第２のケーシングであって、前記第１のケーシングと前記ミッドソールとの間に配置され、前記キャビティ内に受容された第２のケーシングと、を含むことを特徴とする履物用品。
【０１５５】
第２８項：前記第１のケーシングと前記第２のケーシングとの少なくとも１つの複数の壁が共に固定され、略同じ量の前記粒子状物質をそれぞれ含む少なくとも２つのセグメントを画定していることを特徴とする第２７項に記載の履物用品。 
【０１５６】
第２９項：前記第１のケーシングと前記第２のケーシングとの少なくとも１つの複数の壁が共に固定され、異なる量の前記粒子状物質をそれぞれ含む少なくとも２つのセグメントを画定していることを特徴とする第２７項に記載の履物用品。 
【０１５７】
第３０項：前記第１のケーシングと前記第２のケーシングとが可撓性材料で形成されていることを特徴とする第２７〜２９項のいずれか一項に記載の履物用品。 
【０１５８】
第３１項：前記第１のケーシングと前記第２のケーシングとがメッシュ材料で形成されていることを特徴とする第２７〜３０項のいずれか一項に記載の履物用品。 
【０１５９】
第３２項：前記第１のケーシングと前記第２のケーシングとがナイロン材料から形成されていることを特徴とする第２７〜３１項のいずれか一項に記載の履物用品。 
【０１６０】
第３３項：前記粒子状物質が発泡体ビーズを含むことを特徴とする第２７〜３２項のいずれか一項に記載の履物用品。 
【０１６１】
第３４項：前記発泡体ビーズが実質的に球形及び実質的に多角形のうちの少なくとも１つを含むことを特徴とする第２７〜３３項のいずれか一項に記載の履物用品。 
【０１６２】
第３５項：前記発泡体ビーズが略同じ大きさ及び形状を含むことを特徴とする第３３項に記載の履物用品。 
【０１６３】
第３６項：前記発泡体ビーズが異なる大きさ及び形状の少なくとも１つを含むことを特徴とする第３３項に記載の履物用品。 
【０１６４】
第３７項：前記発泡体ビーズの大きさ及び形状が、前記第１のケーシング及び前記第２のケーシングにおいて略同じであることを特徴とする第３３項に記載の履物用品。 
【０１６５】
第３８項：前記発泡体ビーズの大きさ及び形状の少なくとも１つが、前記第１のケーシング及び前記第２のケーシングにおいて異なることを特徴とする第３３項に記載の履物用品。 
【０１６６】
第３９項：前記第１のケーシングと前記アウトソールの前記内面との間の前記キャビティ内に設けられた底クッション部材をさらに含むことを特徴とする第２７〜３８項のいずれか一項に記載の履物用品。 
【０１６７】
第４０項：前記底クッション部材が、ポリマー発泡体と、流体充填袋と、前記アウトソールの前記内面から前記ミッドソールの前記底面に向かう方向に延びて前記底面から離間している一連の突出部と、のうちの少なくとも１つを含むことを特徴とする第３９項に記載の履物用品。 
【０１６８】
第４１項：前記第１のケーシングと前記第２のケーシングとの間に配置された中間クッション部材をさらに含むことを特徴とする第２７〜４０項のいずれか一項に記載の履物用品。 
【０１６９】
第４２項：前記第１のケーシング及び前記第２のケーシングは、前記アウトソールの長さに実質的に等しい長さを有することを特徴とする第２７〜４１項のいずれか一項に記載の履物用品。 
【０１７０】
第４３項：前記アウトソールの前記内面に対向し、前記ケーシング内に受容される第３のケーシングと、前記第３ケーシングと前記ミッドソールとの間に配置されて前記ケーシング内に受容される第４のケーシングと、をさらに含み、前記第３のケーシングと前記第４のケーシングとは、前記アウトソールの前足部及び中足部の少なくとも１つに近接して配置され、前記第１のケーシングと前記第２のケーシングとは、前記アウトソールの踵部に近接して配置されていることを特徴とする第２６項に記載の履物用品。
【０１７１】
第４４項：前記第２のケーシングは、前記アウトソールの長手方向軸に実質的に垂直な方向に延びる、前記第１のケーシングとは異なる厚さを有することを特徴とする第２６項に記載の履物用品。 
【０１７２】
第４５項：前記第１のケーシング及び前記第２のケーシングは、異なる量の前記粒子状物質を含むことを特徴とする第２７〜４４項のいずれか一項に記載の履物用品。 
【０１７３】
第４６項：アッパーと、前記アッパーに取り付けられたアウトソールであって、接地面と、前記接地面の反対側の当該アウトソールに配置された内面と、前記接地面から延びて当該アウトソールを囲む壁と、を含むアウトソールと、フットベッドと前記フットベッドの反対側に配置された底面とを含むミッドソールであって、前記アウトソールの壁によってその中に境界が定まったキャビティを画定するように前記アウトソールの前記内面と対向するミッドソールと、前記キャビティ内に受容された第１の量の粒子状物質と、前記第１の量の粒子状物質とは分離されて前記キャビティ内に受容された第２の量の粒子状物質であって、前記第１の量の粒子状物質と前記ミッドソールの前記底面との間に配置された第２の量の粒子状物質と、を含むことを特徴とする履物用品。
【０１７４】
第４７項：前記第１の量の粒子状物質が第１のケーシング内に受容されることを特徴とする第４６項に記載の履物用品。
【０１７５】
第４８項：前記第２の量の粒子状物質が第２のケーシング内に受容されることを特徴とする第４６又は第４７項に記載の履物用品。 
【０１７６】
第４９項：前記第１のケーシング及び前記第２のケーシングが、可撓性材料、メッシュ材料、及びナイロン材料のうちの少なくとも１つから形成されていることを特徴とする第４８項に記載の履物用品。
【０１７７】
第５０項：前記粒子状物質が、実質的に球形及び実質的に多角形の形状のうちの少なくとも１つを有する発泡体ビーズを含むことを特徴とする第４６〜４９項のいずれか一項に記載の履物用品。 
【０１７８】
第５１項：発泡体ビーズが略同じ大きさ及び形状を含むことを特徴とする第５０項に記載の履物用品。 
【０１７９】
第５２項：前記発泡体ビーズが異なる大きさ及び形状の少なくとも１つを含むことを特徴とする第５０項に記載の履物用品。 
【０１８０】
第５３項：前記発泡体ビーズの大きさ及び形状が、前記第１のケーシング及び前記第２のケーシングにおいて略同じであることを特徴とする第５０項に記載の履物用品。 
【０１８１】
第５４項：前記発泡体ビーズの大きさ及び形状の少なくとも１つが、前記第１のケーシング及び前記第２のケーシングにおいて異なることを特徴とする第５０項に記載の履物用品。 
【０１８２】
第５５項：前記第１の量の粒子状物質と前記アウトソールの前記内面との間の前記キャビティ内に設けられた底クッション部材をさらに含むことを特徴とする第４６〜５４項のいずれか一項に記載の履物用品。 
【０１８３】
第５６項：前記底クッション部材が、ポリマー発泡体と、流体充填袋と、前記アウトソールの前記内面から前記ミッドソールの前記底面に向かう方向に延びて前記底面から離間している一連の突出部と、のうちの少なくとも１つを含むことを特徴とする第５５項に記載の履物用品。 
【０１８４】
第５７項：前記第１の量の粒子状物質及び前記第２の量の粒子状物質がそれぞれ可撓性ケーシング内に受容されていることを特徴とする第４６項に記載の履物用品。 
【０１８５】
第５８項：フットベッドとアウトソールとの間にキャビティを設けるステップと、前記アウトソールに隣接し、前記キャビティ内に粒子状物質を収容する第１のケーシングを設けるステップと、前記第１のケーシングと前記フットベッドとの間で、前記キャビティ内に粒子状物質を収容する第２のケーシングを設けるステップと、を含んでなることを特徴とする履物用品を製造する方法。
【０１８６】
第５９項：前記第１のケーシング及び前記第２のケーシングを前記キャビティ内に設けるステップは、前記第１のケーシングに、前記アウトソールの長手方向軸に実質的に垂直に延びる方向における、前記第２のケーシングとは異なる厚さを与えることを含むことを特徴とする第５８項に記載の方法。
【０１８７】
第６０項：前記第１のケーシング及び前記第２のケーシングを前記キャビティ内に設けるステップは、前記第１のケーシングに、前記アウトソールの長手方向軸に実質的に垂直に延びる方向における、前記第２のケーシングと実質的に同じ厚さを与えることを含むことを特徴とする第５８項に記載の方法。 
【０１８８】
第６１項：前記第１のケーシング及び前記２のケーシングを可撓性材料で形成するステップをさらに含むことを特徴とする第５８〜６０項のいずれか一項に記載の方法。 
【０１８９】
第６２項：前記第１のケーシング及び前記２のケーシングをメッシュ材料で形成するステップをさらに含むことを特徴とする第５８〜６１項のいずれか一項に記載の方法。 
【０１９０】
第６３項：前記第１のケーシング及び前記２のケーシングをナイロン材料で形成するステップをさらに含むことを特徴とする第５８〜６２項のいずれか一項に記載の方法。 
【０１９１】
第６４項：前記第１のケーシングの複数の壁を共に固定し、前記第２のケーシングの複数の壁を共に固定し、前記第１のケーシング及び前記第２のケーシングのそれぞれの内部に少なくとも２つのセグメントを画定するステップをさらに含むことを特徴とする第５８〜６３項のいずれか一項に記載の方法。 
【０１９２】
第６５項：前記少なくとも２つのセグメントに略同じ量の粒子状物質を設けるステップをさらに含むことを特徴とする第６４項に記載の方法。 
【０１９３】
第６６項：前記少なくとも２つのセグメントに異なる量の粒子状物質を設けるステップをさらに含むことを特徴とする第６４項に記載の方法。 
【０１９４】
第６７項：粒子状物質を収容する前記第１のケーシングを設けるステップと、粒子状物質を収容する前記第２のケーシングを設けるステップとが、実質的に球形及び実質的に多角形のうちの少なくとも１つを有する多数の発泡体ビーズを前記第１のケーシング及び前記第２のケーシングに提供するステップを含むことを特徴とする第５８〜６６項のいずれか一項に記載の方法。 
【０１９５】
第６８項：多数の前記発泡体ビーズを提供するステップが、略同じ大きさ及び形状を含む発泡体ビーズを提供するステップを含むことを特徴とする第６７項に記載の方法。 
【０１９６】
第６９項：多数の前記発泡体ビーズを提供するステップが、異なる大きさ及び形状の少なくとも１つを含む発泡体ビーズを提供するステップを含むことを特徴とする第６７項に記載の方法。 
【０１９７】
第７０項：前記第１のケーシングと前記アウトソールの前記内面との間の前記キャビティ内に底クッション部材を挿入するステップをさらに含むことを特徴とする第５８〜６６項のいずれか一項に記載の方法。 
【０１９８】
第７１項：前記底クッション部材を挿入するステップは、発泡体クッション部材及び流体充填クッション部材のうちの少なくとも１つを挿入するステップを含むことを特徴とする第５８項に記載の方法。 
【０１９９】
第７２項：前記第１のケーシングと前記第２のケーシングとの間に中間クッション部材を挿入するステップをさらに含むことを特徴とする第５８〜６６項のいずれか一項に記載の方法。 
【０２００】
第７３項：前記中間クッション部材を前記第１のケーシングと前記第２のケーシングとの間に挿入するステップは、前記第１のケーシングと前記第２のケーシングとの間にポリマー発泡体及び流体充填袋の少なくとも１つを挿入するステップを含むことを特徴とする第７２項に記載の方法。
【０２０１】
前述の説明は、例示および説明のために提供されたものである。網羅的であること、または開示を限定することを意図するものではない。特定の構成の個々の要素または特徴は、一般的にその特定の構成に限定されず、適用可能であれば、交換可能であり、特に図示または説明されていない場合でも、選択された構成で使用することができる。同じことは、多くの点で変化し得る。そのような変形は、開示からの逸脱とみなされるべきではなく、そのような変更のすべては、本開示の範囲内に含まれることが意図される。
【符号の説明】
【０２０２】
１０  履物用品
１２  前足部
１４  中足部
１６  踵部
１８  横側面部
２０  中央側面部
１００  アッパー
１０２  内部空間
１０６  ファスナ
２００  ソール構造
２１０  アウトソール
２１２  接地面
２１４、３１９、３２９  内面
２２０  ミッドソール
２２２  底面
２２４  フットベッド
２２８  インソール
２３０  側壁
２４０  キャビティ
３００、３１０、３２０、３３０、７００、８００、９００  ケーシング、ケーシンググループ
３０２、３１２、３２２  第１の端部
３０４、３１４、３２４  第２の端部
３０６  内壁
３０８、３１８、３２８、３３８  外壁
３１１、３１３  テーパー面
３１６、３２６、３３６  厚さ
３５０  粒子状物質
４０２、４０４、４５０  仕切り
４１０、４１２、４１４、４２０  内部領域
４４２、４４４、４４６  溝
５００、６００、６１０、６２０  クッション部材
５００ｃ、５０２  突出部
５０４  スラブ
【図１】
2018528033.tif 000003
【図２】
2018528033.tif 000004
【図３】
2018528033.tif 000005
【図４】
2018528033.tif 000006
【図５】
2018528033.tif 000007
【図６】
2018528033.tif 000008
【図７】
2018528033.tif 000009
【図８】
2018528033.tif 000010
【図９】
2018528033.tif 000011
【図１０】
2018528033.tif 000012
【図１１】
2018528033.tif 000013
【図１２】
2018528033.tif 000014
【図１３】
2018528033.tif 000015
【図１４】
2018528033.tif 000016
【図１５】
2018528033.tif 000017
【図１６】
2018528033.tif 000018
【図１７】
2018528033.tif 000019
【図１８】
2018528033.tif 000020
【図１９】
2018528033.tif 000021
【図２０】
2018528033.tif 000022
【図２１】
2018528033.tif 000023
【図２２】
2018528033.tif 000024
【図２３】
2018528033.tif 000025
【図２４】
2018528033.tif 000026
【図２５】
2018528033.tif 000027
【図２６】
2018528033.tif 000028
【図２７】
2018528033.tif 000029
【図２８】
2018528033.tif 000030
【図２９】
2018528033.tif 000031
【図３０】
2018528033.tif 000032
【図３１】
2018528033.tif 000033
【図３２】
2018528033.tif 000034
【図３３】
2018528033.tif 000035
【国際調査報告】
2018528033.tif 000036
2018528033.tif 000037
2018528033.tif 000038
2018528033.tif 000039
2018528033.tif 000040